(57)【特許請求の範囲】
【請求項１】
互いに直交する第１の辺と第２の辺を含む面に表示部を備えた第１の筐体と、
互いに直交する第３の辺と第４の辺を含む面に表示部を備えた第２の筐体と、
互いに直交する第５の辺と第６の辺を含む面に表示部を備えた第３の筐体と、
前記第１の筐体と前記第２の筐体とを連結する第１の連結手段と、
前記第１の筐体と前記第３の筐体とを連結する第２の連結手段と、
を有し、各筐体同士の相対的な配置を変更できる表示装置であって、
前記第１の連結手段によって連結された前記第１の筐体と前記第２の筐体とは、当該第１の筐体と当該第２の筐体の前記表示部同士が同一方向を向く場合に、前記第１の辺と前記第３の辺とが互いに隣接する状態と、前記第２の辺と前記第４の辺とが互いに隣接する状態とに相対的な配置を変更でき、
前記第２の連結手段によって連結された前記第１の筐体と前記第３の筐体とは、当該第１の筐体と当該第３の筐体の前記表示部同士が同一方向を向く場合に、前記第１の辺と前記第５の辺とが互いに隣接する状態と、前記第２の辺と前記第６の辺とが互いに隣接する状態と、の何れか一方に相対的な配置を変更でき、他方に相対的な配置を変更できないことを特徴とする表示装置。
【請求項２】
互いに直交する第７の辺と第８の辺を含む面に表示部を備えた第４の筐体と、
前記第２の筐体と前記第４の筐体とを連結する第３の連結手段を有し、
前記第３の連結手段で連結された前記第２の筐体と前記第４の筐体とは、当該第２の筐体と当該第４の筐体の前記表示部同士が同一方向を向く場合に、前記第３の辺と前記第７の辺とが互いに隣接する状態と、前記第４の辺と前記第８の辺とが互いに隣接する状態と、の何れか一方に相対的な配置を変更でき、他方に相対的な配置を変更できないことを特徴とする請求項１に記載の表示装置。
【請求項３】
前記第１の筐体と前記第２の筐体と前記第３の筐体と前記第４の筐体は、各筐体同士の相対的な配置をそれぞれの前記表示部が同一方向を向く場合に、当該それぞれの前記表示部の外形を合わせた表示領域が矩形となることを特徴とする請求項２に記載の表示装置。
【請求項４】
前記第２の連結手段および前記第３の連結手段は、それぞれ異なる１つの軸を中心に回動可能なヒンジであることを特徴とする請求項２又は３に記載の表示装置。
【請求項５】
前記第２の連結手段は、前記第１の筐体の前記第２の辺と平行な軸を中心に、前記第１の筐体に対して前記第３の筐体を相対的に回動可能であって、
前記第３の連結手段は、前記第２の筐体の前記第４の辺と平行な軸を中心に、前記第２の筐体に対して前記第４の筐体を相対的に回動可能であることを特徴とする請求項４に記載の表示装置。
【請求項６】
前記第１の辺は、前記第１の筐体の前記表示部が設けられた面の長辺であって、
前記第２の辺は、前記第１の筐体の前記表示部が設けられた面の短辺であって、
前記第３の辺は、前記第２の筐体の前記表示部が設けられた面の長辺であって、
前記第４の辺は、前記第２の筐体の前記表示部が設けられた面の短辺であって、
前記第５の辺は、前記第３の筐体の前記表示部が設けられた面の長辺であって、
前記第６の辺は、前記第３の筐体の前記表示部が設けられた面の短辺であって、
前記第７の辺は、前記第４の筐体の前記表示部が設けられた面の長辺であって、
前記第８の辺は、前記第４の筐体の前記表示部が設けられた面の短辺であることを特徴とする請求項２乃至５の何れか一項に記載の表示装置。
【請求項７】
撮像手段を備えた第５の筐体と、
前記第３の筐体と前記第５の筐体とを連結する第４の連結手段と、を有し、
前記第４の連結手段によって連結された前記第３の筐体は、前記第５の筐体に対して、異なる２つの軸を中心に相対的に回動できることを特徴とする請求項１乃至６の何れか一項に記載の表示装置。
【請求項８】
それぞれが表示部を備えた複数の筐体同士の相対的な配置を変更できる表示装置であって、
前記複数の筐体同士を連結する第１の連結手段と、
前記複数の筐体同士を連結する、前記第１の連結手段とは異なる第２の連結手段と、
を有し、
前記第１の連結手段によって連結された前記複数の筐体同士は、それぞれの前記表示部が同一方向を向く場合に、前記表示部を備えた面の第１の辺同士が互いに隣接する状態と、前記表示部を備えた面の前記第１の辺と直交する第２の辺同士が互いに隣接する状態とに、相対的な配置を変更でき、
前記第２の連結手段によって連結された前記複数の筐体同士は、それぞれの前記表示部が同一方向を向き、前記第１の辺同士が互いに隣接する状態と、前記第２の辺同士が互いに隣接する状態と、の何れか一方に相対的な配置を変更でき、他方に相対的な配置を変更できず、
前記複数の筐体同士の相対的な配置を、それぞれの前記表示部が同一方向を向く場合に、当該表示部の外形を合わせた表示領域が矩形となることを特徴とする表示装置。
【発明の詳細な説明】
【技術分野】
【０００１】
本発明は、表示部を備えた筐体同士の相対的な配置を変更できる表示装置に関する。
【背景技術】
【０００２】
従来、それぞれが表示部を備えた筐体同士を連結し、当該筐体同士の相対的な配置を変更できる表示装置が知られている。特許文献１では、山折りと谷折りが可能な連結具によって２つの筐体同士が連結されたディスプレイ装置について提案されている（例えば、図１３および図１４など）。
【先行技術文献】
【特許文献】
【０００３】
【特許文献１】特開２０１０−２６６７５２号公報
【発明の概要】
【発明が解決しようとする課題】
【０００４】
しかしながら、特許文献１に記載のディスプレイ装置は、連結具の山折り及び谷折り以外の方向に向けて、２つの筐体同士の相対的な配置を変更することができない。すなわち、特許文献１に記載のディスプレイ装置は、各筐体間において、互いに隣接する辺同士が異なるように、各筐体同士の相対的な配置を変更することができない。
【０００５】
本発明の目的は、各筐体間において、互いに隣接する辺同士が異なるように、各筐体同士の相対的な配置を変更することができる表示装置を提供することである。
【課題を解決するための手段】
【０００６】
上記目的を達成する本発明の表示装置は、互いに直交する第１の辺と第２の辺を含む面に表示部を備えた第１の筐体と、互いに直交する第３の辺と第４の辺を含む面に表示部を備えた第２の筐体と、互いに直交する第５の辺と第６の辺を含む面に表示部を備えた第３の筐体と、前記第１の筐体と前記第２の筐体とを連結する第１の連結手段と、前記第１の筐体と前記第３の筐体とを連結する第２の連結手段と、を有し、各筐体同士の相対的な配置を変更できる表示装置であって、前記第１の連結手段によって連結された前記第１の筐体と前記第２の筐体とは、当該第１の筐体と当該第２の筐体の前記表示部同士が同一方向を向く場合に、前記第１の辺と前記第３の辺とが互いに隣接する状態と、前記第２の辺と前記第４の辺とが互いに隣接する状態とに相対的な配置を変更でき、前記第２の連結手段によって連結された前記第１の筐体と前記第３の筐体とは、当該第１の筐体と当該第３の筐体の前記表示部同士が同一方向を向く場合に、前記第１の辺と前記第５の辺とが互いに隣接する状態と、前記第２の辺と前記第６の辺とが互いに隣接する状態と、の何れか一方に相対的な配置を変更でき、他方に相対的な配置を変更できないことを特徴とする。
【発明の効果】
【０００７】
本発明によれば、各筐体間において、互いに隣接する辺同士が異なるように、各筐体同士の相対的な配置を変更することができる表示装置を提供することができる。
【図面の簡単な説明】
【０００８】
【図１】本発明を実施する表示装置の第１実施形態である表示装置１００の構成を説明する三面図である。
【図２】本発明を実施する表示装置の第１実施形態である表示装置１００の内部構成を説明するブロック図である。
【図３】本発明を実施する表示装置の第１実施形態である表示装置１００の第１のパネル１０１および第２のパネル１０２の構成を説明する三面図である。
【図４】本発明を実施する表示装置の第１実施形態である表示装置１００を構成する第１のパネル１０１の四面図である。
【図５】本発明の第１実施形態に係る第１のパネル１０１および第２のパネル１０２の各溝部の拡大断面を例示的に説明した拡大断面図である。
【図６】本発明の第１実施形態に係る第１のパネル１０１と第２のパネル１０２の展開状態および折り畳み状態を例示的に説明する図である。
【図７】本発明の第１実施形態に係る第１のパネル１０１と第２のパネル１０２の状態を横表示状態から収納状態Ａに変更する（折り畳む）場合を例示的に説明する図である。
【図８】本発明の第１実施形態に係る第１のパネル１０１と第２のパネル１０２の相対的な配置を横表示状態から両面状態に変更する（折り畳む）場合を例示的に説明する図である。
【図９】本発明の第１実施形態に係る第１のパネル１０１と第２のパネル１０２の相対的な配置を縦展開状態から両面状態へと変更する（折り畳む）場合を例示的に説明する図である。
【図１０】本発明を実施する表示装置の第１実施形態である表示装置１００の状態を折り畳み状態から横展開状態へと変更する動作を例示的に説明する図である。
【図１１】本発明を実施する表示装置の第１実施形態である表示装置１００の状態を折り畳み状態から縦展開状態へと変更する動作を例示的に説明する図である。
【図１２】本発明を実施する表示装置の第１実施形態である表示装置１００の表示制御処理を説明するフローチャートである。
【図１３】本発明の第１実施形態に係る表示装置の変形例である表示装置３００を説明する図である。
【図１４】本発明を実施した表示装置の第２実施形態であるデジタルカメラ１の外観図である。
【図１５】本発明の第２実施形態に係るカメラ本体１０の内部構成について説明するブロック図である。
【図１６】本発明の第２実施形態に係る表示装置の変形例であるデジタルカメラ４００を説明する図である。
【発明を実施するための形態】
【０００９】
（第１実施形態）
以下に、本発明の好ましい実施の形態を、添付の図面に基づいて説明する。まず、本実施形態に係る表示装置である表示装置１００の構成について図１〜１２を参照して説明する。図１は、本発明を実施する表示装置の第１実施形態である表示装置１００の構成を説明する二面図であって、表示装置１００の正面図、下側面図（底面図）を示している。図１（ａ）は、後述する横展開状態における表示装置１００の正面図および下面図を説明した図である。図１（ｂ）は、後述する横展開状態における表示装置１００の正面図および下面図を説明した図である。図１（ｃ）は、後述する折り畳み状態における表示装置１００の正面図および下面図を説明した図である。
【００１０】
なお、図１（ａ）〜（ｃ）では、説明のために、各パネルの正面（Ａ面）側を黒、背面（Ｂ面）側を白く塗りつぶして図示する。すなわち、各パネルの表示部が露出した面をＡ面とし、その反対側をＢ面とする。
【００１１】
また、以降は、説明のために、後述する各パネル、各ワイヤー、各ヒンジの大きさの比率を異ならせて図示する。さらに、各ワイヤーの配置や動きを分かりやすくするために、表示装置１００を正面側から見た状態で各ワイヤーを点線で図示する。
【００１２】
図１（ａ）〜（ｃ）に図示するように、本実施形態の表示装置１００は、それぞれが表示部を備えた複数のパネル（筐体）を含んでいる。具体的に、表示装置１００は、平板状の直方体である第１のパネル（第１の筐体）１０１と第２のパネル（第２の筐体）１０２、第３のパネル（第３の筐体）２０１、第４のパネル（第４の筐体）２０２によって構成されている。
【００１３】
また、本実施形態の表示装置１００は、上述した各パネルの相対的な配置を変更することができる。具体的に、表示装置１００は、各パネルに設けられたそれぞれの表示部が同一の方向を向く展開状態と、各パネル同士がＡ面（およびＢ面）と直交する方向（以下、表示方向と称す）において互いに重畳する折り畳み状態に変更することができる。各状態の詳細については後述する。
【００１４】
第１のパネル１０１は第１の表示部１０１ａを備え、第２のパネル１０２は第２の表示部１０２ａを備えている。また、第３のパネル２０１は第３の表示部２０１ａを備え、第４のパネル２０２は第４の表示部２０２ａを備えている。なお、第１の表示部１０１ａ、第２の表示部１０２ａ、第３の表示部２０１ａ、第４の表示部２０２ａのそれぞれは、隣り合う辺の長さが異なる矩形状である。
【００１５】
本実施形態では、それぞれの表示部として、ＴＦＴ型ＬＣＤ（薄膜トランジスタ駆動型液晶表示器）を採用する構成であるが、有機ＥＬ素子（有機エレクトロルミネッセンス素子）などによって形成された表示部を採用するような構成であってもよい。
【００１６】
なお、第１の表示部１０１ａおよび第３の表示部２０１ａは、後述する第１の表示制御回路１１０によって表示内容が制御される。また、第２の表示部１０２ａおよび第４の表示部２０２ａは、後述する第２の表示制御回路１２０によって表示内容が制御される。
【００１７】
図１（ａ）、（ｂ）に図示するように、第１のパネル１０１、第２のパネル１０２、第３のパネル２０１、第４のパネル２０２は、それぞれ表示部が設けられている面（Ａ面）を正面とし、その反対側の面（Ｂ面）を背面側とする。また、図１に図示するように、第１のパネル１０１、第２のパネル１０２、第３のパネル２０１、第４のパネル２０２のＡ面は、互いに直交する辺同士を有する矩形形状である。
【００１８】
具体的に、第１のパネル１０１のＡ面は、互いに直交する第１の辺と第２の辺を含み、第２のパネル１０２のＡ面は、互いに直交する第３の辺と第４の辺とを含んでいる。また、第３のパネル２０１のＡ面は、互いに直交する第５の辺と第６の辺とを含み、第４のパネル２０２のＡ面は、互いに直交する第７の辺と第８の辺とを含んでいる。なお、各パネルのＡ面に含まれる辺同士の位置関係は、一方の辺に対する他方の辺が略９０度の位置であればよい。
【００１９】
表示装置１００の展開状態として、図１（ａ）に図示するように、第１のパネル１０１の辺１と第２のパネルの辺３と第３のパネル２０１の辺５と第４のパネル２０２の辺７同士が、互いの延長線上に位置する状態を横展開状態（第１の状態）とする。
【００２０】
また、表示装置１００の展開状態として、図１（ｂ）に図示するように、第１のパネル１０１の辺２と第２のパネルの辺４、および第３のパネル２０１の辺６と第４のパネル２０２の辺８とが、互いの延長線上に位置する状態を縦展開状態（第２の状態）とする。
【００２１】
また、図１（ｃ）に図示するように、各パネルの表示方向において、各パネル同士が重畳する表示装置１００の状態を折り畳み状態とする。なお、図１（ｃ）では、後述する表示装置１００の状態検出の説明のために、後述するホール素子１１３ａと磁石１１３ｂ、１２３ａを図示しているが、実際は、各パネルの外形から突出しないように設けられている。
【００２２】
本実施形態の表示装置１００は、横展開状態において、第１のパネル１０１の辺２と第２のパネル１０２の辺４とが互いに隣接する。すなわち、表示装置１００の横展開状態では、第１のパネル１０１、第２のパネル１０２、第３のパネル２０１、第４のパネル２０２のうち、互いに隣接する筐体同士のＡ面およびＢ面の短辺同士が隣接する構成である。
【００２３】
また、本実施形態の表示装置１００は、縦展開状態において、第１のパネル１０１の辺１と第２のパネル１０２の辺３とが互いに隣接する。すなわち、表示装置１００の横展開状態では、第１のパネル１０１、第２のパネル１０２、第３のパネル２０１、第４のパネル２０２のうち、互いに隣接する筐体同士のＡ面およびＢ面の長辺同士が隣接する構成である。
【００２４】
なお、本実施形態において、上述した各パネルの辺同士が互いに隣接する状態としては、少なくとも、対応する辺同士が互いに向かい合う状態であればよい。例えば、表示装置１００の横展開状態で、第１のパネル１０１の辺２と第２のパネル１０２の辺４とが互いに直線形状ではない場合であっても、辺２および辺４に該当する非直線形状の位置が互いに向かい合う状態を、各パネルの辺同士が隣接する状態とする。
【００２５】
図１（ａ）、（ｂ）に図示するように、第１のパネル１０１と第２のパネル１０２とは、第１の連結手段であるワイヤー１０３〜１０６によって連結されている。したがって、第１のパネル１０１と第２のパネル１０２とは、ワイヤー１０３〜１０６によって、各パネルのＡ面同士が同一方向を向きつつ、辺１の延長線上に辺３が位置する状態となるように、パネル同士の相対的な配置を変更することができる。さらに、第１のパネル１０１と第２のパネル１０２とは、ワイヤー１０３〜１０６によって、各パネルのＡ面同士が同一方向を向きつつ、辺２の延長線上に辺４が位置する状態となるように、パネル同士の相対的な配置を変更することができる。この詳細については、図３〜１１を参照して後述する。
【００２６】
また、第１のパネル１０１と第３のパネル２０１とは、第１のパネル１０１のＡ面の辺２と平行な１軸で回動できるヒンジ（第２の連結手段）２０３によって連結されている。したがって、第１のパネル１０１と第３のパネル２０１とは、第３のパネル２０１の辺６付近に設けられた第１の第１のヒンジ２０３を中心に回動できる。
【００２７】
この構成により、第１のパネル１０１と第３のパネル２０１とは、各パネルのＡ面同士が同一方向を向き、辺１の延長線上に辺５が位置する状態となるように、パネル同士の相対的な配置を変更することができる。すなわち、第１のパネル１０１と第３のパネル２０１のＡ面同士が同一方向を向き、第１のパネル１０１と第３のパネル２０１のＡ面の短辺同士が隣接する状態へと、パネル同士の相対的な配置を変更することができる。
【００２８】
さらに、第２のパネル１０２と第４のパネル２０２とは、第２のパネル１０２のＡ面の１軸で回動できるヒンジ（第３の連結手段）２０４によって連結されている。したがって、第２のパネル１０２と第４のパネル２０２とは、第４のパネル２０２の辺８付近に設けられた第２の第２のヒンジ２０４を中心に回動可能である。
【００２９】
この構成により、第２のパネル１０２と第４のパネル２０２とは、各パネルのＡ面同士が同一方向を向き、辺３の延長線上に辺７が位置する状態となるように、パネル同士の相対的な配置を変更することができる。すなわち、第２のパネル１０２と第４のパネル２０２のＡ面同士が同一方向を向き、第２のパネル１０２と第４のパネル２０２のＡ面の短辺同士が隣接する状態へと、パネル同士の相対的な配置を変更することができる。
【００３０】
以上説明した各連結手段の構成によって、本実施形態の表示装置１００は、前述した横展開状態と縦展開状態、および折り畳み状態へと、各パネル同士の相対的な配置を変更することができる。
【００３１】
このうち、表示装置１００の横展開状態は、第１のパネル１０１と第２のパネル１０２の相対的な配置が後述する横表示状態である必要がある。また、表示装置１００の縦展開状態は、第１のパネル１０１と第２のパネル１０２の相対的な配置が後述する縦表示状態である必要がある。また、表示装置１００の折り畳み状態は、第１のパネル１０１と第２のパネル１０２の相対的な配置が後述する両面状態である必要がある。第１のパネル１０１と第２のパネル１０２の相対的な配置の詳細については後述する。
【００３２】
次に、図２を参照して表示装置１００の内部構成について説明する。図２は、本発明を実施する表示装置の第１実施形態である表示装置１００の内部構成を説明するブロック図である。第１のパネル１０１は、第１の表示部１０１ａ、第１の表示制御回路１１０、第１の電源部１１１、第１の通信部１１２、表示状態検出部１１３を備えている。また、第２のパネル１０２は、第２の表示部１０２ａ、第２の表示制御回路１２０、第２の電源部１２１、第２の通信部１２２を備えている。また、第３のパネル２０１は第３の表示部２０１ａ備え、第４のパネル２０２は第４の表示部２０２ａを備えている。
【００３３】
なお、第１のパネル１０１はホール素子１１３ａ、第２のパネル１０２は磁石１２３ａ、第３のパネル２０１は磁石１１３ｂをそれぞれ有しているが、ここでは説明を省略する。上述した各構成についての詳細は後述する。
【００３４】
第１のパネル１０１と第３のパネル２０１とは、前述した第１のヒンジ２０３の内部に挿通された不図示のＦＰＣ（フレキシブルプリント配線基板）によって電気的に接続されている。また、第２のパネル１０１と第４のパネル２０２とは、前述した第２のヒンジ２０４の内部に挿通された不図示のＦＰＣによって電気的に接続されている。以下、表示装置１００の内部を構成する各部について詳細を説明する。
【００３５】
第１の表示制御回路１１０は、表示部１０１ａおよび表示部２０１ａに表示用の画像データ（表示画像）を表示させるように制御できる表示制御手段である。また、第２の表示制御回路１２０は、表示部１０２ａおよび表示部２０２ａに表示画像を表示させるように制御できる表示制御手段である。
【００３６】
なお、本実施形態における表示画像とは、表示装置１００に表示させる表示用の画像データである。たとえば、表示装置１００に表示中の（アナログ）画像データや、表示用のメモリ領域に記録されている（デジタル）画像データなどが当該表示画像に該当する。したがって、単一の画像（元画像）を分割して表示装置１００を構成する複数の表示部に表示させる場合、分割前の元画像および分割後の画像データの双方が表示画像となる。
【００３７】
第１の電源部１１１は、第１のパネル１０１および第３のパネル２０１の内部に電力を供給する電力供給手段である。また、第２の電源部１２１は、第２のパネル１０２および第４のパネル２０２の内部に電力を供給する電力供給手段である。
【００３８】
表示装置１００の不図示の電源がオンされると、第１の電源部１１１から第１の表示制御回路を介して、第１のパネル１０１内および第３のパネル２０１内の各部に電力が供給される。同様に、第２の電源部１２１から第２の表示制御回路を介して、第２のパネル１０２内および第４のパネル２０２内の各部に電力が供給される。
【００３９】
第１の通信部１１２および第２の通信部１２２は、第１の表示制御回路１１０および第２の表示制御回路１２０からの指示に応じて、第１のパネル１０１と第２のパネル１０２との間で種々のデータを送受信するための通信手段である。
【００４０】
本実施形態において、第１の通信部１１２および第２の通信部１２２は、各表示部に表示させる表示画像に関する情報（表示信号）を無線通信によって送受信する構成である。したがって、上述した表示信号を第１のパネル１０１および第２のパネル１０２との間で送受信することによって、表示部１０１ａ、１０２ａ、２０１ａ、２０２ａのそれぞれに、異なる画像や単一の元画像を分割して表示させることができる。
【００４１】
表示状態検出部１１３は、磁力を検知可能なホール素子１１３ａを有する検出手段である。ホール素子１１３ａは、第３のパネル２０１に設けられた磁石１１３ｂと第２のパネル１０２に設けられた磁石１２３ａの磁力を検出することによって、表示装置１００の状態を検出することができる。
【００４２】
なお、ホール素子１１３ａは、第１のパネル１０１のＡ面の表示部１０１ａと重畳しない位置（Ａ面の縁部）に設けられている。また、磁石１０３ｂは、第３のパネル２０１のＡ面の表示部２０１ａと重畳しない位置（Ａ面の縁部）であって、Ｓ極側が第３のパネル２０１のＡ面と同一方向に向けて設けられている。さらに、磁石１２３ａは、第２のパネル１０２のＡ面の表示部１０２ａと重畳しない位置（Ａ面の縁部）であって、Ｎ極側が第２のパネル１０２のＡ面と同一方向に向けて設けられている。なお、ホール素子１１３ａおよび磁石１１３ｂ、磁石１２３ａは、それぞれ各パネルの外形から突出しないように設けられている。
【００４３】
第１の表示制御回路１１０は、表示状態検出部１１３の検出結果（出力信号）に基づいて、各パネル同士の相対的な配置（表示装置１００の状態）を検出することができる。以下、この詳細について具体的に説明する。
【００４４】
本実施形態のホール素子１１３ａは、磁束の向きおよび磁束密度に応じた信号出力が可能である。
【００４５】
また、図１（ａ）、（ｂ）に図示するように、表示装置１００の横展開状態と縦展開状態とでは、ホール素子１１３ａに対する、磁石１２３ａの配置が異なる。また、図１（ｃ）に図示するように、表示装置１００の折り畳み状態では、ホール素子１１３ａを挟んで磁石１１３ｂと磁石１２３ａとが互いに対向する。すなわち、表示装置１００の各状態で、ホール素子１１３ａと磁石１１３ｂ、磁石１２３ａとの位置関係は変化する。
【００４６】
したがって、ホール素子１１３ａは、表示装置１００の状態ごとに異なる磁束の向きや磁束密度の変化に応じて、それぞれ異なる信号を出力することができる。なお、図３〜１２の各図においては、説明を簡略化するためにホール素子１１３ａ、および磁石１１３ｂ、１２３ａを不図示とする。以上が本実施形態の表示装置１００の基本的な構成である。
【００４７】
なお、本実施形態の表示装置１００では、上述したように第１のパネル１０１と第２のパネル１０２に表示制御回路等を設けるような構成だが、これに限定されるものではない。例えば、第１のパネル１０１または第２のパネル１０２の何れか一方のみに表示制御回路を設けるような構成であってもよい。この場合、当該一方のパネルに設けられた表示制御回路によって、各パネルの動作を統括的に制御する。
【００４８】
また、本実施形態の表示装置１００は、第１のパネル１０１と第２のパネル１０２とが無線通信によってパネル間の通信をおこなうような構成であるが、これに限定されるものではない。例えば、第１のパネル１０１と第２のパネル１０２の連結手段である後述の各ワイヤーの内部に通信用のケーブルなどを設け、当該通信用のケーブルを用いて第１のパネル１０１と第２のパネル１０２との間での通信をおこなうような構成であってもよい。
【００４９】
以下、図３を参照して本実施形態の第１のパネル１０１および第２のパネル１０２の構成について詳細を説明する。図３は、本発明を実施する表示装置の第１実施形態である表示装置１００の第１のパネル１０１および第２のパネル１０２の構成を説明する三面図である。
【００５０】
図３に図示するように、第１のパネル１０１は、後述する溝部１０１ｃ１および溝部１０１ｃ２が設けられている面を左側面としその反対側の面を右側面とする。そして、第１のパネル１０１は、後述する溝部１０１ｂ１および溝部１０１ｂ２が設けられている面を下側面とし、その反対側の面を上側面とする。
【００５１】
なお、表示部１０１ａ方向から見た場合の第１のパネル１０１の下側面側の辺（長辺）を辺１（第１の辺）とし、第１のパネル１０１の右側面側の辺（短辺）を辺２（第２の辺）とする。前述したように、当該辺１と辺２とは互いに直交している。
【００５２】
また、図３に図示するように、第２のパネル１０２は、後述する溝部１０２ｃ１および溝部１０２ｃ２が設けられている面を右側面としその反対側の面を左側面とする。そして、第２のパネル１０２は、後述する溝部１０２ｂ１および溝部１０２ｂ２が設けられている面を下側面とし、その反対側の面を上側面とする。
【００５３】
なお、表示部１０２ａ方向から見た場合の第２のパネル１０２の下側面側の辺（長辺）を辺３（第３の辺）とし、第２のパネル１０２の左側面側の辺（短辺）を辺４（第４の辺）とする。前述したように、当該辺３と辺４とは互いに直交している。
【００５４】
第１のパネル１０１と第２のパネル１０２とは、互いのパネル同士の相対的な配置を変更することで複数の状態に変更することができる。例えば、表示装置１００が横展開状態である場合に、第１のパネル１０１と第２のパネル１０２とは、第１のパネル１０１の左側面と第２のパネル１０２の右側面とが接した状態（横表示状態）となる。また、表示装置１００が縦展開状態である場合に、第１のパネル１０１と第２のパネル１０２とは、第１のパネル１０１の下側面と第２のパネル１０２の上側面とが接した展開状態（縦表示状態）となる。
【００５５】
すなわち、第１のパネル１０１と第２のパネル１０２との相対的な配置のうち、第１のパネル１０１の辺１の延長線上に第２のパネル１０２の辺３が位置する状態が横表示状態である。また、また、第１のパネル１０１の辺２との延長線上に第２のパネル１０２の辺４が位置する状態が縦表示状態である。
【００５６】
以上説明したように、表示装置１００を横展開状態にするには、第１のパネル１０１と第２のパネル１０２の相対的な配置を、横表示状態にする必要がある。そして、表示装置１００を縦展開状態にするには、第１のパネル１０１と第２のパネル１０２の相対的な配置を、縦表示状態にする必要がある。
【００５７】
次に、第１のパネル１０１と第２のパネル１０２の相対的な配置のうち、第１のパネル１０１と第２のパネル１０２のＡ面同士が向かい合い、Ｂ面同士がそれぞれ異なる方向を向く状態が収納状態である。すなわち、第１のパネル１０１の第１の表示部１０１ａと第２のパネル１０２の第２の表示部１０２ａとが互いに向かい合う状態が収納状態である。
【００５８】
なお、収納状態としては、収納状態Ａおよび収納状態Ｂの２つの状態に第１のパネル１０１と第２のパネル１０２の相対的な配置を変更することができる。上述した、収納状態ＡとＢとは、第１のパネル１０１と第２のパネル１０２上において、後述する各ワイヤーが導かれる溝部がそれぞれ異なる。この詳細については後述する。
【００５９】
また、第１のパネル１０１と第２のパネル１０２の相対的な配置のうち、第１のパネル１０１と第２のパネル１０２のＢ面同士が向かい合い、Ａ面同士がそれぞれ異なる方向を向く状態が両面状態である。すなわち、第１のパネル１０１の第１の表示部１０１ａと第２のパネル１０２の第２の表示部１０２ａとが露出し、それぞれが異なる方向を向く状態が両面状態である。
【００６０】
第１のパネル１０１および第２のパネル１０２の収納状態および両面状態では、それぞれのＡ面と直交する方向（表示方向）から見て、第１のパネル１０１の辺１と第２のパネル１０２の辺３同士が互いに重畳（一致）する。また、第１のパネル１０１および第２のパネル１０２の収納状態および両面状態では、それぞれのＡ面と直交する方向（表示方向）から見て、第１のパネル１０１の辺２と第２のパネル１０２の辺４同士が互いに重畳（一致）する。
【００６１】
また、第１のパネル１０１と第２のパネル１０２の相対的な配置のうち、以上説明した各状態へと変更している間の、第１のパネル１０１と第２のパネル１０２の状態を移行状態とする。
【００６２】
なお、第１のパネル１０１と第２のパネル１０２の相対的な配置は、第３のパネル２０１や第４のパネル２０２の状態に応じて、上述した収納状態へと変更できない場合がある。例えば、表示部１０１ａと表示部２０１ａとが向かい合った状態では、第１のパネル１０１と第２のパネル１０２の状態を収納状態にすることはできない。また、表示部１０２ａと表示部２０２ａとが向かい合った状態では、第１のパネル１０１と第２のパネル１０２の状態を収納状態にすることはできない。
【００６３】
以降は、上述した第１のパネル１０１と第２のパネル１０２の状態を収納状態にできない場合については考慮せず、第１のパネル１０１と第２のパネル１０２の相対的な位置の変更について図４〜９を参照して詳細を説明する。
【００６４】
図４は、本発明を実施する表示装置の第１実施形態である表示装置１００を構成する第１のパネル１０１の四面図であって、正面図、左側面図、下側面図（底面図）、背面図を示している。
【００６５】
第１のパネル１０１は、辺１の長さ（横幅）をＷｐ、辺２の長さ（縦幅）をＨｐ、辺１と平行な第１の表示部１０１ａの辺の長さ（横幅）をＷｄ、辺２と平行な表示部１０１ａの長さ（縦幅）をＨｄとすると、以下の式（１）の関係を満たす。
Ｗｐ＞Ｈｐ、Ｗｄ＞Ｈｄ    （１）
【００６６】
すなわち、第１のパネル１０１の長手方向の辺の長さＷｐは第１の表示部１０１ａの短手方向の辺の長さＨｐより大きい。そして、第１のパネル１０１の長手方向の長さＷｄは第１の表示部１０１ａの長手方向の長さＨｄより大きい。また、本実施形態の第１のパネル１０１は以下の式（２）の関係を満たす。
Ｗｐ：Ｈｄ＝３：２        （２）
【００６７】
なお、式（２）に示したように、本実施形態では、第１のパネル１０１のＷｄとＨｄの比であるアスペクト比として、主に写真に多用される比率を採用したが、これに限定されるものではなく、その他の比率を採用するような構成であってもよい。
【００６８】
本実施形態の第１のパネル１０１では、第１のパネル１０１において、第１のパネル１０１の中心と第１の表示部１０１ａの中心とが略一致するように第１の表示部１０１ａを配置する。この状態で、第１のパネル１０１の縁部の幅（第１の表示部１０１ａの縁から第１のパネル１０１の縁までの距離）が、第１の表示部１０１ａの長手方向の長さＷｄと短手方向の長さＨｄと比較して１０分１以下の大きさとなる。この構成によって、第１のパネル１０１が第２のパネル１０２と連結された際に、第１の表示部１０１ａと第２の表示部１０２ａとの間の距離を比較的小さくすることができる。したがって、本実施形態の表示装置１００は、単一の画像を第１の表示部１０１ａと第２の表示部１０２ａとに分割して表示させる場合であっても、当該単一の画像を閲覧するユーザに与える違和感を抑制することができる。
【００６９】
なお、ユーザが、表示装置１００を用いて画像を閲覧する際の違和感を抑制するためには、第１のパネル１０１の縁部の幅はできるだけ小さくすることが望ましい。そこで、第１の表示部１０１ａを、第１のパネル１０１の中心から後述する溝部１０１ｃ１、１０１ｃ２および１０１ｄ１、１０１ｄ２方向にシフトさせて配置するような構成であってもよい。この構成であれば、展開状態の表示装置１００において、第１の表示部１０１ａと第２の表示部１０２ａと近づけることができるため、画像を閲覧する際にユーザに与える違和感を抑制することができる。
【００７０】
なお、第２のパネル１０２、第３のパネル２０１および第４のパネル２０２の寸法等に関する構成は、上述した第１のパネル１０１と略同一であるので、説明は省略する。
【００７１】
図４に図示するように、第１のパネル１０１には、正面（Ａ面）から下側面（辺１側の側面）を通過して背面（Ｂ面）まで延出した直線形状の溝部が設けられている。当該溝部のうち、第１のパネル１０１の下側面に設けられている溝部が溝部１０１ｂ１および溝部１０１ｂ２である。また、第１のパネル１０１のＢ面に設けられている溝部が溝部１０１ｄ１、溝部１０１ｄ２である。さらに、第１のパネル１０１の左側面に設けられている溝部が溝部１０１ｃ１、溝部１０１ｃ２である。
【００７２】
図４に図示するように、本実施形態の第１のパネル１０１は、辺１において、溝部１０１ｄ１の下側面側の端部と溝部１０１ｂ１の下側面側の端部の位置が一致する。また、第１のパネル１０１は、辺２において、溝部１０１ｄ１の左側面側の端部と溝部１０１ｃ１の左側面側の端部の位置とが一致する。すなわち、第１のパネル１０１には、溝部１０１ｂ１と溝部１０１ｄ１と溝部１０１ｃ１とによって、連続した一連の溝部が形成されている。
【００７３】
同様に、第１のパネル１０１は、辺１において、溝部１０１ｄ２の下側面側の端部と溝部１０１ｂ２の下側面側の端部の位置が一致し、辺２において、溝部１０１ｄ２の左側面側の端部と溝部１０１ｄ２の左側面側の端部の位置が一致する。すなわち、第１のパネル１０１には、溝部１０１ｂ２と溝部１０１ｄ２と溝部１０１ｃ２とによって、連続した一連の溝部が形成されている。
【００７４】
ここで、第１のパネル１０１において、辺１に該当し、Ａ面と下側面とが略直交することで形成された角部を角部１０１ｇ１、１０１ｇ２とする。また、第１のパネル１０１において、辺１に該当し、下側面とＢ面とが略直交することで形成された角部を角部１０１ｈ１、１０１ｈ２とする。また、第１のパネル１０１において、辺２に該当し、Ｂ面と左側面とが略直交することで形成された角部を角部１０１ｉ１、１０１ｉ２とする。さらに、第１のパネル１０１において、辺２に該当し、左側面とＡ面とが略直交することで形成された角部を角部１０１ｊ１、１０１ｊ２とする。
【００７５】
このうち、角部１０１ｇ１、１０１ｈ１、１０１ｉ１、１０１ｊ１は、連続して形成された溝部１０１ｂ１、溝部１０１ｃ１、溝部１０１ｄ１に含まれる角部である。また、角部１０１ｇ２、１０１ｈ２、１０１ｉ２、１０１ｊ２は、連続して形成された溝部１０１ｂ２、溝部１０１ｃ２、溝部１０１ｄ２に含まれる角部である。
【００７６】
なお、上述した第１のパネル１０１と同様に、第２のパネル１０２の表面にも溝部１０２ｂ１〜１０２ｄ２が形成されている。溝部１０２ｂ１と溝部１０２ｃ１と溝部１０２ｄ１、および溝部１０２ｂ２と、溝部１０２ｃ２と、１０２ｄ１とによって、連続した一連の溝部が形成されている。第２のパネル１０２上のそれぞれの溝部は、前述した第１のパネル１０１に形成されている溝部に対応した位置に形成されている。この詳細については後述する。
【００７７】
また、第１のパネル１０１及び第２のパネル１０２の正面（Ａ面）にも、上述した各溝部から連続した一連の溝部が設けられている。当該Ａ面上の溝部は、各パネル上に設けられた後述する固定部に向けて形成された溝部であって、各パネルの正面に導かれたワイヤーが、パネルの外装から突出することを防ぐために設けられている。
【００７８】
溝部１０１ｂ１および溝部１０１ｄ１は、第１のパネル１０１の下側面およびＢ面において、辺２から距離Ｌｂ１だけ離れた位置に形成されている。また、溝部１０１ｂ２および溝部１０１ｄ２は、第１のパネル１０１の下側面およびＢ面において、辺２から距離Ｌｂ２だけ離れた位置に形成されている。また、溝部１０１ｃ１は、第１のパネル１０１の左側面（辺２側の側面）において、辺１から距離Ｌｃ１だけ離れた位置に形成されている。また、溝部１０１ｃ２は、第１のパネル１０１の左側面（辺２側の側面）において、辺１から距離Ｌｃ２だけ離れた位置に形成されている。なお、距離Ｌｂ２は距離Ｌｂ１よりも大きく、距離Ｌｃ２は距離Ｌｃ１よりも大きい。
【００７９】
図５は、本発明の第１実施形態に係る第１のパネル１０１および第２のパネル１０２の各溝部の拡大断面を例示的に説明した拡大断面図である。図５に図示するように、第１のパネル１０１および第２のパネル１０２の表面には上述したように溝部が形成されており、各溝部は各パネル上において、断面が有底のＶ字形状となるように形成されている。
【００８０】
そして、後述する各ワイヤーは、後述する固定部によって端部が固定された状態で、第１のパネル１０１および第２のパネル１０２の表面に形成された溝部に沿って当該溝部内に導かれる。なお、図５に図示するように、各ワイヤーは、所定の溝部内に導かれることで対応する溝部に落ち込んだ状態となる。各ワイヤーの詳細については後述する。
【００８１】
図４に戻り、第１のパネル１０１に設けられた各固定部について説明する。図４に図示するように、第１のパネル１０１のＡ面の縁部であって第１の表示部１０１ａと重畳しない位置には、固定部１０１ｅ１、固定部１０１ｅ２、固定部１０１ｆ１、固定部１０１ｆ２が設けられている。固定部１０１ｅ１は、後述するワイヤー１０３の一方の端部を固定する固定手段である。固定部１０１ｅ２は、後述するワイヤー１０４の一方の端部を固定する固定手段である。固定部１０１ｆ１は、後述するワイヤー１０５の一方の端部を固定する固定手段である。固定部１０１ｆ２は、後述するワイヤー１０６の一方の端部を固定する固定手段である。
【００８２】
なお、固定部１０１ｅ１および固定部１０１ｅ２は、第１のパネル１０１のＡ面の縁部のうち、下側面側（第１の辺側）近傍の位置（第１の位置）に設けられている。また、固定部１０１ｆ１および固定部１０１ｆ２は、第１のパネル１０１のＡ面の縁部のうち、左側面側（第２の辺側）近傍の位置（第４の位置）に設けられている。以上が第１のパネル１０１の説明である。
【００８３】
以下、第２のパネル１０２の詳細について説明する。なお、第２のパネル１０２の構成は、上述した第１のパネル１０１と略同一であるため、第２のパネル１０２と第１のパネル１０１との差異についてのみ以下に説明する。
【００８４】
本実施形態の第２のパネル１０２は、辺３において、溝部１０２ｄ１の下側面側の端部と溝部１０２ｂ１の下側面側の端部の位置が一致し、辺４において、溝部１０２ｄ１の右側面側の端部と溝部１０２ｃ１の右側面側の端部の位置が一致する。すなわち、第２のパネル１０２には、溝部１０２ｂ１と溝部１０２ｄ１と溝部１０２ｃ１とによって、連続した一連の溝部が形成されている。同様に、第２のパネル１０２は、辺３において、溝部１０２ｄ２の下側面側の端部と溝部１０２ｂ２の下側面側の端部の位置が一致し、辺４において、溝部１０２ｄ２の右側面側の端部と溝部１０２ｄ２の右側面側の端部の位置が一致する。すなわち、第２のパネル１０２には、溝部１０２ｂ２と溝部１０２ｄ２と溝部１０２ｃ２とによって、連続した一連の溝部が形成されている。
【００８５】
また、上述した第１のパネル１０１と同様に、第２のパネル１０２にも角部１０２ｇ１、１０２ｇ２、１０２ｈ１、１０２ｈ２、１０２ｉ１、１０２ｉ２、１０２ｊ１、１０２ｊ２が形成されている。第２のパネル１０２において、辺３に該当し、Ａ面と下側面とが略直交することで形成された角部が角部１０２ｇ１、１０２ｇ２である。
【００８６】
第２のパネル１０２において、辺３に該当し、下側面とＢ面とが略直交することで形成された角部が角部１０２ｈ１、１０２ｈ２である。また、第１のパネル１０１において、辺４に該当し、Ｂ面と右側面とが略直交することで形成された角部が角部１０２ｉ１、１０２ｉ２である。さらに、第２のパネル１０２において、辺４に該当し、右側面とＡ面とが略直交することで形成された角部が角部１０２ｊ１、１０２ｊ２である。このうち、角部１０２ｇ１、１０２ｈ１、１０２ｉ１、１０２ｊ１は、連続して形成された溝部１０２ｂ１、溝部１０２ｃ１、溝部１０２ｄ１に含まれる角部である。また、角部１０２ｇ２、１０２ｈ２、１０２ｉ２、１０２ｊ２は、連続して形成された溝部１０２ｂ２、溝部１０２ｃ２、溝部１０２ｄ２に含まれる角部である。
【００８７】
第２のパネル１０２のＡ面の縁部であって第２の表示部１０２ａと重畳しない位置には、固定部１０２ｅ１、固定部１０２ｅ２、固定部１０２ｆ１、固定部１０２ｆ２が設けられている。固定部１０２ｅ１は、後述するワイヤー１０５の一方の端部を固定する固定手段である。固定部１０２ｅ２は、後述するワイヤー１０６の一方の端部を固定する固定手段である。固定部１０２ｆ１は、後述するワイヤー１０３の一方の端部を固定する固定手段である。固定部１０２ｆ２は、後述するワイヤー１０４の一方の端部を固定する固定手段である。
【００８８】
なお、固定部１０２ｅ１はおよび固定部１０２ｅ２は、第２のパネル１０２のＡ面の縁部のうち、下側面側（第３の辺側）近傍の位置（第３の位置）に設けられている。また、固定部１０２ｆ１および固定部１０２ｆ２は、第２のパネル１０２のＡ面の縁部のうち、左側面側（第４の辺側）近傍の位置（第２の位置）に設けられている。以上が第２のパネル１０２の説明である。
【００８９】
以下、本実施形態の表示装置１００における連結手段（第１の連結手段）であるワイヤー１０３〜１０６の詳細について説明する。ワイヤー１０３〜１０６は合成繊維や金属材料によって成形される線形状の連結手段であって、第１のパネル１０１と第２のパネル１０２とを折り畳み自在に連結している。
【００９０】
なお、ワイヤー１０３〜１０６はそれぞれ、線方向への弾性と、曲げ方向への柔軟性を有している。また、各ワイヤーの両端部は、端部同士が結合していない形状の連結手段である。すなわち、本実施形態のワイヤー１０３〜１０６は非ループ形状である。
【００９１】
上述したワイヤー１０３〜１０６は、各ワイヤーの線方向に張力が生じるように、両端が引っ張られた状態で各固定部に固定される。例えば、ワイヤー１０３であれば、表示装置１００の展開状態および折り畳み状態（収納状態または両面状態）のそれぞれにおいて、ワイヤー１０３が撓まないように固定部１０１ｅ１と固定部１０２ｆ１とに固定されている。この構成によって、ワイヤー１０３〜１０６は、それぞれ対応する溝部の内部に導かれた状態で長さが最短となるような経路を通る。
【００９２】
なお、各ワイヤーの張力は、第３のパネル２０１および第４のパネル２０２を加味して調節されている。したがって、表示装置１００が前述した折り畳み状態であっても、第１のパネル１０１と第２のパネル１０２とを連結するワイヤー１０３〜１０６は撓むことはない。
【００９３】
ワイヤー１０３〜１０６には、ユーザが表示装置１００の状態を変更する（展開する、または折り畳む）際に加える外力などが加わる。当該外力によって、ワイヤーが溝部から脱落することを防ぐためには、ワイヤーの張力を増加させ、緩みを小さくすることが望ましい。具体的には、上述した外力によって、ワイヤーが切れること防止するためには、ワイヤーの張力を、ワイヤーの引っ張り強度から計算される所定の値以下に低減することが望ましい。すなわち、溝部からのワイヤーの脱落およびワイヤーの破損等を考慮した信頼性を確保するために、各ワイヤーの張力を望ましい範囲に収める必要がある。しかしながら、部品の加工精度や組み付け精度によって、各ワイヤーの張力は設計値からばらつく。
【００９４】
そこで、本実施形態の表示装置１００は、各固定部に、対応する各ワイヤーの張力を調節することができる張力調節機構が設けられている。さらに、本実施形態のワイヤー１０３〜１０６は、それぞれが独立した１つの部材であって、異なる固定部に固定されている。
【００９５】
上述した張力調節機構としては、例えば、前述した各固定部に対応した第１のパネル１０１と第２のパネル１０２の各位置に、各ワイヤーを挿入可能な孔部を設ける。そして、当該孔部にワイヤーが挿入された状態で、孔部にワイヤーの端部を固定するための固定ピンを挿入する。この構成であれば、孔部に挿入するワイヤーの量や、ピンの挿入度合を変化させることで、ワイヤーの張力を調節することができる。この場合、各固定部が上述した張力調節機構に該当する。
【００９６】
なお、上述した固定ピンの外径を、孔部の内径よりも若干大きく設定する。この状態で、孔部の内部と固定ピンの外部とが所定の摩擦力を生じながら互いに慴動するので、固定ピンが孔部から脱落することを防止することができる。
【００９７】
以上説明した構成によって、本実施形態の表示装置１００は、各ワイヤーの張力を独立して調整することができる。したがって、各ワイヤーが対応する溝部から脱落することや、破損することを防ぐことができる。
【００９８】
なお、固定部１０１ｅ１の張力調節機構を用いてワイヤー１０３の張力を調節したとしても、その他のワイヤー１０４〜１０６の張力は変化しない。したがって、本実施形態の表示装置１００では、調節が必要なワイヤーの張力のみを独立して調節することができる。以上がワイヤー１０３〜１０６の説明である。
【００９９】
なお、本実施形態では、第１のパネル１０１と第２のパネル１０２の各溝部および各固定部同士は、表示装置１００が横展開状態である場合に、辺２と辺４を中心線とした線対称の関係となる位置に設けられる。また、第１のパネル１０１と第２のパネル１０２の各溝部および各固定部同士は、表示装置１００を縦展開状態にした場合に、辺１と辺３を中心線とした線対称の関係となる位置に設けられる。
【０１００】
なお、本実施形態の表示装置１００では、各固定部で対応する各ワイヤーを固定する方法としては、上述した固定ピン以外に、接着、熱カシメ、圧着、フックなどへの引っかけなど種々の方法を採用することができる。
【０１０１】
次に、図６を参照して第１のパネル１０１と第２のパネル１０２の展開状態と折り畳み状態の詳細について説明する。図６は、本発明の実施形態に係る表示装置１００の第１のパネル１０１と第２のパネル１０２の展開状態および折り畳み状態を例示的に説明する図であって、表示装置１００の各状態における三面図（正面図、右側面図、下側面図）を示している。図６（ａ）は、第１のパネル１０１と第２のパネル１０２の収納状態Ａを例示的に説明した図である。
【０１０２】
第１のパネル１０１と第２のパネル１０２は、収納状態Ａの表示方向において、第１のパネル１０１の辺１と第２のパネル１０２辺３とが一致し、第１のパネル１０１の辺２と第２のパネル１０２の辺４とが一致する。
【０１０３】
図６（ｂ）は、第１のパネル１０１と第２のパネル１０２の横表示状態を例示的に説明した図であって、図６（ａ）に図示する矢印方向に第２のパネル１０２を相対的に略１８０度回動させた（展開させた）状態を示している。第１のパネル１０１と第２のパネル１０２とは、横展開状態において、第１のパネル１０１の辺１の延長線上に連続して第２のパネル１０２の辺３が位置し、第１のパネル１０１および第２のパネル１０２のＡ面およびＢ面同士がそれぞれ同一の方向を向く。
【０１０４】
図６（ｃ）は、第１のパネル１０１と第２のパネル１０２の両面状態を例示的に説明する図であって、図６（ｂ）に図示する矢印方向に第２のパネル１０２を相対的に略１８０度回動させた（折り畳んだ）状態を示している。
【０１０５】
第１のパネル１０１と第２のパネル１０２は、両面状態の表示方向において、第１のパネル１０１の辺１と第２のパネル１０２の辺３とが一致し、第１のパネル１０１の辺２と第２のパネル１０２の辺４とが一致する。
【０１０６】
図６（ｄ）は、第１のパネル１０１と第２のパネル１０２の縦展開状態を例示的に説明する図であって、図６（ｃ）に図示する矢印方向に第２のパネル１０２を相対的に略１８０度回動させた（展開させた）状態を示している。第１のパネル１０１と第２のパネル１０２は、縦展開状態において、第１のパネル１０１の辺２の延長線上に連続して第２のパネル１０２の辺４が位置し、第１のパネル１０１および第２のパネル１０２のＡ面およびＢ面同士がそれぞれ同一の方向を向く。
【０１０７】
図６（ｅ）は、第１のパネル１０１と第２のパネル１０２の収納状態Ｂを例示的に説明した図であって、図６（ｄ）に図示する矢印の方向に第２のパネル１０２を相対的に略１８０度回動させた（折り畳んだ）状態を示している。第１のパネル１０１と第２のパネル１０２は、収納状態Ｂの表示方向において、第１のパネル１０１の辺１と第２のパネル１０２の辺３とが一致し、第１のパネル１０１の辺２と第２のパネル１０２の辺４とが一致する。
【０１０８】
以下、図６（ａ）〜図６（ｅ）を参照して、第１のパネル１０１と第２のパネル１０２の各状態においける各ワイヤーの位置について詳細を説明する。
【０１０９】
図６の各図に図示するように、ワイヤー１０３は、一方の端部が第１のパネル１０１の固定部１０１ｅ１に固定され、他方の端部が第２のパネル１０２の固定部１０２ｆ１に固定されている。また、ワイヤー１０４は、一方の端部が第１のパネル１０１の固定部１０１ｅ２に固定され、他方の端部が第２のパネル１０２の固定部１０２ｆ２に固定されている。また、ワイヤー１０５は、一方の端部が第２のパネル１０２の固定部１０２ｅ１に固定され、他方の端部が第１のパネル１０１の固定部１０１ｆ１に固定されている。また、ワイヤー１０６は、一方の端部が第２のパネル１０２の固定部１０２ｅ２に固定され、他方の端部が第１のパネル１０１の固定部１０１ｆ２に固定されている。
【０１１０】
まず、図６（ａ）を参照して、第１のパネル１０１と第２のパネル１０２の相対的な配置が収納状態Ａである場合について説明する。各パネル同士は、収納状態Ａで、固定部１０１ｅ１で固定されたワイヤー１０３が溝部１０１ｂ１、溝部１０１ｄ１、溝部１０１ｃ１に沿って、第１のパネル１０１の下側面、Ｂ面、左側面と接しつつ（経由して）固定部１０２ｆ１に固定される。
【０１１１】
また、各パネル同士は収納状態Ａで、固定部１０１ｅ２に固定されたワイヤー１０４が、溝部１０１ｂ２、溝部１０１ｄ２、溝部１０１ｃ２に沿い、第１のパネル１０１の下側面、Ｂ面、左側面を接しつつ固定部１０２ｆ２に固定される。また、各パネル同士は収納状態Ａで、固定部１０２ｅ１に固定されたワイヤー１０５が、溝部１０２ｂ１、溝部１０２ｄ１、溝部１０２ｃ１に沿い、第２のパネル１０２の下側面、Ｂ面、右側面と接しつつ固定部１０１ｆ１に固定される。また、各パネル同士は、収納状態Ａで、固定部１０２ｅ２に固定されたワイヤー１０６が、溝部１０２ｂ２、溝部１０２ｄ２、溝部１０２ｃ２に沿い、第２のパネル１０２の下側面、Ｂ面、右側面と接しつつ固定部１０１ｆ２に固定される。
【０１１２】
次に、図６（ｂ）を参照して、第１のパネル１０１と第２のパネル１０２の相対的な配置が横表示状態である場合について説明する。なお、第１のパネル１０１と第２のパネル１０２の横表示状態において、各ワイヤーは、前述した収納状態Ａと同様の溝部に導かれるため、以降は、収納状態Ａと横表示状態との違いについて説明する。
【０１１３】
各パネル同士は横表示状態で、ワイヤー１０３が、第１のパネル１０１と第２のパネル１０２との間を通って第２のパネル１０２のＡ面へと向かう。同様に、ワイヤー１０５が、第１のパネル１０１と第２のパネル１０２との間を通って第１のパネル１０１のＡ面へと向かう。
【０１１４】
なお、第１のパネル１０１と第２のパネル１０２との間とは、第１のパネル１０１に形成された溝部１０１ｃ１と第２のパネル１０２に形成された溝部１０２ｃ１の双方によって形成された空間を示している。
【０１１５】
また、第１のパネル１０１と第２のパネル１０２の横表示状態でワイヤー１０４は、第１のパネル１０１と第２のパネル１０２との間を通って第２のパネル１０２のＡ面へと向かう。同様に、ワイヤー１０６は、第１のパネル１０１と第２のパネル１０２との間を通って第１のパネル１０１のＡ面へと向かう。なお、第１のパネル１０１と第２のパネル１０２との間とは、第１のパネル１０１に形成された溝部１０１ｃ２と第２のパネル１０２に形成された溝部１０２ｃ２の双方によって形成された空間を示している。
【０１１６】
なお、第１のパネル１０１と第２のパネル１０２の横表示状態で、ワイヤー１０３のうちの溝部１０１ｄ１に沿ってＢ面上を通過する（Ｂ面と接する）部分を通過部１０３ｃとする。
【０１１７】
また、ワイヤー１０４のうち、溝部１０１ｄ２に沿ってＢ面を通過する（Ｂ面と接する）部分を通過部１０４ｃとする。同様に、ワイヤー１０５のうち、溝部１０２ｄ１に沿ってＢ面上を通過する（Ｂ面と接する）部分を通過部１０５ｃとする。そして、ワイヤー１０６のうち、溝部１０２ｄ２に沿ってＢ面上を通過する（Ｂ面と接する）部分を通過部１０６ｃとする。
【０１１８】
なお、各パネル同士が横表示状態である場合、ワイヤー１０３は、少なくとも、第１のパネル１０１の角部１０１ｇ１、１０１ｈ１、１０１ｉ１、第２のパネル１０２の角部１０２ｊ１と接触する。また、各パネル同士が横表示状態である場合、ワイヤー１０４は、少なくとも、第１のパネル１０１の角部１０１ｇ２、１０１ｈ２、１０１ｉ２、第２のパネル１０２の角部１０２ｊ２と接触する。また、各パネル同士が横表示状態である場合、ワイヤー１０５は、少なくとも、第２のパネル１０２の角部１０２ｇ１、１０２ｈ１、１０２ｉ１、第１のパネル１０１の角部１０１ｊ１と接触する。さらに、各パネル同士が横表示状態である場合、ワイヤー１０６は、少なくとも、第２のパネル１０２の角部１０２ｇ２、１０２ｈ２、１０２ｉ２、第１のパネル１０１の角部１０１ｊ２と接触する。この詳細については図６を参照して後述する。
【０１１９】
次に、図６（ｃ）を参照して、第１のパネル１０１と第２のパネル１０２の相対的な配置が両面状態である場合について説明する。各パネル同士が両面状態である場合、固定部１０１ｅ１で固定されたワイヤー１０３が、溝部１０１ｂ１、溝部１０２ｃ１に沿い、第１のパネル１０１の下側面と第２のパネル１０２の右側面と接しつつ固定部１０２ｆ１に固定される。
【０１２０】
なお、ワイヤー１０３は、第１のパネル１０１および第２のパネル１０２のＢ面上において、第１のパネル１０１と第２のパネルの間を通過する。この第１のパネル１０１と第２のパネル１０２との間とは、第１のパネル１０１に形成された溝部１０１ｄ１と第２のパネル１０２に形成された溝部１０２ｄ１の双方によって形成された空間である。
【０１２１】
また、各パネル同士が両面状態で、固定部１０１ｅ２で固定されたワイヤー１０４が、溝部１０１ｂ２、溝部１０２ｃ２に沿い、第１のパネル１０１の下側面と第２のパネル１０２の右側面と接しつつ固定部１０２ｆ２に固定される。なお、ワイヤー１０４は、第１のパネル１０１および第２のパネル１０２のＢ面上において、第１のパネル１０１と第２のパネルの間を通過する。この第１のパネル１０１と第２のパネル１０２との間とは、第１のパネル１０１に形成された溝部１０１ｄ２と第２のパネル１０２に形成された溝部１０２ｄ２の双方によって形成された空間を示している。
【０１２２】
また、各パネル同士が両面状態で、固定部１０２ｅ１で固定されたワイヤー１０５が、溝部１０２ｂ１、溝部１０１ｃ１に沿い、第２のパネル１０２の下側面と第１のパネル１０１の左側面と接しつつ固定部１０１ｆ１に固定される。なお、ワイヤー１０５も前述したワイヤー１０３と同様に、第１のパネル１０１および第２のパネル１０２のＢ面上において、第１のパネル１０１と第２のパネルの間を通過する。
【０１２３】
また、各パネル同士が両面状態で、固定部１０２ｅ２で固定されたワイヤー１０６が、溝部１０２ｂ２、溝部１０１ｃ２に沿い、第２のパネル１０２の下側面と第１のパネル１０１の左側面と接しつつ固定部１０１ｆ２に固定される。なお、ワイヤー１０６も前述したワイヤー１０４と同様に、第１のパネル１０１および第２のパネル１０２のＢ面上において、第１のパネル１０１と第２のパネルの間を通過する。
【０１２４】
次に、図６（ｄ）を参照して、第１のパネル１０１と第２のパネル１０２の相対的な配置が縦表示状態である場合について説明する。各パネル同士が縦展開状態で、固定部１０１ｅ１で固定されたワイヤー１０３が、溝部１０２ｄ１、溝部１０２ｃ１に沿い、第２のパネル１０２のＢ面と右側面と接しつつ固定部１０２ｆ１に固定される。なお、ワイヤー１０３は、第１のパネル１０１および第２のパネル１０２の下側面上において、第１のパネル１０１と第２のパネルの間を通過する。この第１のパネル１０１と第２のパネル１０２との間とは、第１のパネル１０１に形成された溝部１０１ｂ１と第２のパネル１０２に形成された溝部１０２ｂ１の双方によって形成された空間を示している。
【０１２５】
また、各パネル同士が縦展開状態で、固定部１０１ｅ２で固定されたワイヤー１０４が、溝部１０２ｄ２、溝部１０２ｃ２に沿い、第２のパネル１０２のＢ面と右側面と接しつつ固定部１０２ｆ２に固定される。なお、ワイヤー１０４は、第１のパネル１０１および第２のパネル１０２の下側面上において、第１のパネル１０１と第２のパネルの間を通過する。この第１のパネル１０１と第２のパネル１０２との間とは、第１のパネル１０１に形成された溝部１０１ｂ２と第２のパネル１０２に形成された溝部１０２ｂ２の双方によって形成された空間である。
【０１２６】
また、各パネル同士が縦展開状態で、固定部１０２ｅ１で固定されたワイヤー１０５が、溝部１０１ｄ１、溝部１０１ｃ１に沿い、第１のパネル１０１のＢ面と左側面と接しつつ固定部１０１ｆ１に固定される。なお、ワイヤー１０５も前述したワイヤー１０３と同様に、第１のパネル１０１および第２のパネル１０２の下側面側において、第１のパネル１０１と第２のパネルの間を通過する。
【０１２７】
また、各パネル同士が縦展開状態で、固定部１０２ｅ２で固定されたワイヤー１０６が、溝部１０１ｄ２、溝部１０１ｃ２に沿い、第１のパネル１０１のＢ面と左側面と接しつつ固定部１０１ｆ２に固定される。なお、ワイヤー１０６も前述したワイヤー１０４と同様に、第１のパネル１０１および第２のパネル１０２の下側面側において、第１のパネル１０１と第２のパネルの間を通過する。
【０１２８】
なお、各パネル同士が縦展開状態である場合、ワイヤー１０３は、少なくとも、第２のパネル１０２の角部１０２ｊ１、１０２ｉ１、１０２ｊ１、第１のパネル１０１の角部１０１ｇ１と接触する。また、各パネル同士が縦展開状態である場合、ワイヤー１０４は、少なくとも、第２のパネル１０２の角部１０２ｊ２、１０２ｉ２、１０２ｊ２、第１のパネル１０１の角部１０１ｇ２と接触する。また、各パネル同士が縦展開状態である場合、ワイヤー１０５は、少なくとも、第１のパネル１０１の角部１０１ｊ１、１０１ｉ１、１０１ｊ１、第２のパネル１０２の角部１０２ｇ１と接触する。さらに、各パネル同士が縦展開状態である場合、ワイヤー１０６は、少なくとも、第１のパネル１０１の角部１０１ｊ２、１０１ｉ２、１０１ｊ２、第２のパネル１０２の角部１０２ｇ２と接触する。この詳細については図９を参照して後述する。
【０１２９】
次に、図６（ｅ）を参照して、第１のパネル１０１と第２のパネル１０２の相対的な配置が収納状態Ｂである場合について説明する。各パネル同士が収納状態Ｂで、固定部１０１ｅ１で固定されたワイヤー１０３が、溝部１０２ｂ１、溝部１０２ｄ１、溝部１０２ｃ１に沿い、第２のパネル１０２の下側面、Ｂ面、右側面と接しつつ固定部１０２ｆ１に固定される。
【０１３０】
また、各パネル同士が収納状態Ｂで、固定部１０１ｅ２で固定されたワイヤー１０４が、溝部１０２ｂ２、溝部１０２ｄ２、溝部１０２ｃ２に沿い、第２のパネル１０２の下側面、Ｂ面、右側面と接しつつ固定部１０２ｆ２に固定される。
【０１３１】
また、各パネル同士が収納状態Ｂで、固定部１０２ｅ１で固定されたワイヤー１０５が、溝部１０１ｂ１、溝部１０１ｄ１、溝部１０１ｃ１に沿い、第１のパネル１０１の下側面、Ｂ面、左側面と接しつつ固定部１０１ｆ１に固定される。
【０１３２】
また、各パネル同士が収納状態Ｂで、固定部１０２ｅ２で固定されたワイヤー１０６が、溝部１０１ｂ２、溝部１０１ｄ２、溝部１０１ｃ２に沿い、第１のパネル１０１の下側面、Ｂ面、左側面と接しつつ固定部１０１ｆ２に固定される。
【０１３３】
以上説明したように、本実施形態の第１のパネル１０１と第２のパネル１０２とは、上述した各状態となるように、各パネル同士の相対的な配置を変更することができる。具体的には、収納状態Ａを基準として、収納状態Ａ、横表示状態、両面状態、縦表示状態、収納状態Ｂの順またはその逆順に、各パネル同士の相対的な配置を変更する（展開および折り畳む）ことができる。すなわち、本実施形態の表示装置１００において、第１のパネル１０１と第２のパネル１０２とは、各筐体間において、延長線上に位置する辺同士が異なるように、各筐体同士の相対的な配置を変更することができる。
【０１３４】
ここで、ワイヤー１０３は、横表示状態で第１のパネル１０１のＢ面に形成された溝部１０１ｄ１の内部に導かれるのに対して、縦表示状態で第２のパネル１０２のＢ面に形成された溝部１０２ｄ１の内部に導かれる。なお、ワイヤー１０４〜１０６についても、ワイヤー１０３と同様に、第１のパネル１０１と第２のパネル１０２の相対的な配置に応じて、導かれる溝部がそれぞれ変化する。
【０１３５】
すなわち、本実施形態のワイヤー１０３〜１０６は、第１のパネル１０１と第２のパネル１０２の相対的な配置に応じて、第１のパネル１０１に形成された溝部と第２のパネル１０２に形成された溝部との間を移動する構成である。この構成により、本実施形態の第１のパネル１０１と第２のパネル１０２は、第１のパネル１０１と第２のパネル１０２の相対的な配置を変更して、上述した各状態へと変更する（展開および折り畳む）ことができる。
【０１３６】
また、ワイヤー１０３〜１０６の大部分は、第１のパネル１０１と第２のパネル１０２の相対的な配置が横表示状態である場合と縦表示状態である場合とで、表示方向において重畳するパネル（または表示部）がそれぞれ変化する（入れ替わる）。例えば、各パネルの表示方向において、ワイヤー１０３の大部分は、横表示状態で第１のパネル１０１と重畳し、縦表示状態で第２のパネル１０２と重畳する。これに対して、各パネルの表示方向において、ワイヤー１０５の大部分は、横表示状態で第２のパネル１０２と重畳し、縦表示状態で第１のパネル１０１と重畳する。
【０１３７】
なお、本実施形態の第１のパネル１０１と第２のパネル１０２では、横表示状態、両面状態、縦表示状態において、各ワイヤーが、第１のパネル１０１と第２のパネル１０２との間に形成された各空間を通過する構成である。この際、ワイヤー１０３とワイヤー１０５、およびワイヤー１０４とワイヤー１０６とは、上述した各空間において互いに交差している。以下、この点について図７〜９を参照して詳細を説明する。
【０１３８】
図７は、本発明の第１実施形態に係る表示装置１００の第１のパネル１０１と第２のパネル１０２の状態を横表示状態から収納状態Ａに変更する（折り畳む）場合を例示的に説明する図である。図７（ａ）は、第１のパネル１０１と第２のパネル１０２を下側面方向から見た場合の、各パネル同士の横展開状態を例示的に説明する拡大図である。図７（ｂ）は、第１のパネル１０１と第２のパネル１０２を下側面側から見た場合の、各パネル同士の横表示状態から収納状態Ａへの移行状態を例示的に説明する拡大図である。図７（ｂ）に図示する第１のパネル１０１と第２のパネル１０２は、図７（ａ）の状態から第２のパネル１０２を相対的に略９０度回動させた状態を示している。図７（ｃ）は、第１のパネル１０１と第２のパネル１０２を下側面方向から見た場合の、各パネル同士の収納状態Ａを例示的に説明する拡大図である。図７（ｃ）に図示する第１のパネル１０１と第２のパネル１０２は、図７（ｂ）の状態から第２のパネル１０２を相対的に９０度回動させた状態を示している。
【０１３９】
以下、図７（ａ）〜（ｃ）を参照して、図７（ａ）に図示する矢印Ｃの方向に向けて、第１のパネル１０１と第２のパネル１０２の相対的な配置を横表示状態から収納状態Ａへと変更する場合のワイヤー１０３、１０５の動作について説明する。なお、ワイヤー１０４およびワイヤー１０６の動作については、ワイヤー１０３およびワイヤー１０５と略同一なので説明は省略する。
【０１４０】
図７（ａ）に図示するように、横表示状態において、ワイヤー１０３は、第１のパネル１０１の第１の辺に該当するＡ面側の角部１０１ｇ１とＢ面側の角部１０１ｈ１、第２の辺に該当するＢ面側の角部１０１ｉ１とそれぞれ接している。そして、第１パネル１０１の角部１０１ｉ１と第２のパネル１０２の第４の辺に該当するＡ面側の角部１０２ｊ１に支持されている。この状態でワイヤー１０３は、溝部１０１ｃ１と溝部１０２ｃ１との間に形成された空間を通過する。
【０１４１】
また、横表示状態において、ワイヤー１０５は、第２のパネル１０２の第３の辺に該当するＡ面側の角部１０２ｇ１とＢ面側の角部１０２ｈ１、第２の辺に該当するＢ面側の角部１０２ｉ１とそれぞれ接している。そして、第２パネル１０２の溝部１０２ｃ１のＢ面側の角部１０２ｉ１と第１のパネル１０１の溝部１０１ｃ１の第２の辺に該当するＡ面側の角部１０１ｊ１に支持される。この状態でワイヤー１０５は、溝部１０１ｃ１と溝部１０２ｃ１との間に形成された空間を通過する。
【０１４２】
そして、図７（ａ）に図示するように、ワイヤー１０３とワイヤー１０５とは、第１パネル１０１の溝部１０１ｃ１と第２パネル１０２の溝部１０２ｃ１によって形成される空間の中で交差している。この際、ワイヤー１０３とワイヤー１０５は、第１のパネル１０１と第２のパネル１０２のＡ面とＢ面の間の略中間の位置で交差している。
【０１４３】
次に、図７（ｂ）に図示する各パネル同士の移行状態では、ワイヤー１０３とワイヤー１０５の交差位置が、第２のパネル１０２の折り畳みに伴って、第１のパネル１０１および第２のパネル１０２のＡ面側へと移行する。
【０１４４】
次に、図７（ｃ）に図示する各パネル同士の収納状態Ａにおいて、ワイヤー１０３は、第２のパネル１０２の固定部１０２ｆ１と第１のパネル１０１の溝部１０１ｃ１のＡ面側の角部１０１ｉ１に支持される。また、ワイヤー１０５は、第１のパネル１０１の固定部１０１ｆ１と第２のパネル１０２の溝部１０２ｃ１のＡ面側の角部１０２ｉ１に支持される。
【０１４５】
図７（ｃ）に図示するように、収納状態Ａでは、ワイヤー１０３とワイヤー１０５が、第１のパネル１０１のＡ面と第２のパネル１０２のＡ面との間で交差する。具体的には、第１のパネル１０１と第２のパネル１０２のＡ面上に形成された溝部同士によって形成された空間において、ワイヤー１０３とワイヤー１０５とが交差する。
【０１４６】
以上説明したように、横表示状態から収納状態Ａへと第１のパネル１０１と第２のパネル１０２の相対的な配置を変更する動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＡ面側へと移行する。この構成によって、ワイヤーが対応する溝部から脱落することなく第１のパネル１０１と第２のパネル１０２とを相対的に折り畳むことができる。
【０１４７】
なお、第１のパネル１０１と第２のパネル１０２の状態を収納状態Ａから横表示状態へと変更（展開）する場合は、上述の動きとは逆の順序で各ワイヤーが動作する。また、第１のパネル１０１と第２のパネル１０２の縦表示状態から収納状態Ｂへの移行、または収納状態Ｂから縦表示状態への移行動作は、横表示状態から収納状態Ａへの移行、または収納状態Ａから横表示状態への移行動作と同様であるので説明は省略する。
【０１４８】
図８は、本発明の第１実施形態に係る表示装置１００の第１のパネル１０１と第２のパネル１０２の相対的な配置を横表示状態から両面状態に変更する（折り畳む）場合を例示的に説明する図である。図８（ａ）は、第１のパネル１０１と第２のパネル１０２を下側面方向から見た、横表示状態を例示的に説明する拡大図である。図７（ｂ）は、第１のパネル１０１と第２のパネル１０２を下側面方向から見た、横表示状態から両面状態への移行状態を例示的に説明する拡大図であって、図８（ａ）の状態から第２のパネル１０２を相対的に略４５度回動させた状態を示している。図８（ｃ）は、第１のパネル１０１と第２のパネル１０２を下側面方向から見た、横表示状態から両面状態への移行状態を例示的に説明する拡大図であって、図８（ａ）の状態から第２のパネル１０２を相対的に略９０度回動させた状態を示している。図８（ｄ）は、第１のパネル１０１と第２のパネル１０２を下側面方向から見た、横表示状態から両面状態への移行状態を例示的に説明する拡大図であって、図８（ａ）の状態から第２のパネル１０２を相対的に略１３５度回動させた状態を示している。図８（ｅ）は、第１のパネル１０１と第２のパネル１０２を下側面方向から見た、両面状態を例示的に説明する拡大図であって、図８（ａ）の状態から第２のパネル１０２を相対的に略１８０度回動させた状態を示している。
【０１４９】
以下、図８（ａ）〜（ｅ）を参照して、図８（ａ）に示す矢印Ｄ方向に、第１のパネル１０１と第２のパネル１０２の相対的な配置を横表示状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。また、図８（ａ）の矢印Ｄ方向は、図７（ａ）で図示した矢印Ｃ方向とは反対方向である。
【０１５０】
図８（ａ）に図示する第１のパネル１０１と第２のパネル１０２の横表示状態については、前述した通りなので説明を省略する。次に、図８（ｂ）に図示する第１のパネル１０１と第２のパネル１０２の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、第１のパネル１０１と第２のパネル１０２の横表示状態と略同一である。
【０１５１】
次に、図８（ｃ）に図示する第１のパネル１０１と第２のパネル１０２の移行状態で、ワイヤー１０３は、第２のパネル１０２の溝部１０２ｃ１のＡ面側の端と第１のパネル１０１の溝部１０１ｂ１のＢ面側の端に支持される。また、ワイヤー１０５は、第１のパネル１０１の溝部１０１ｃ１のＡ面側の端と第２のパネル１０２の溝部１０２ｂ１のＢ面側の端に支持される。この際、ワイヤー１０３とワイヤー１０５の交差位置が、第２のパネル１０２の折り畳みに伴って、第１のパネル１０１および第２のパネル１０２のＢ面の端部近傍へと移行する。
【０１５２】
次に、図８（ｄ）に図示する第１のパネル１０１および第２のパネル１０２の移行状態で、ワイヤー１０３は、第２のパネル１０２の溝部１０２ｃ１のＢ面側の端と第１のパネル１０１の溝部１０１ｂ１のＢ面側の端に支持される。また、ワイヤー１０５は、第１のパネル１０１の溝部１０１ｃ１のＢ面側の端と第２のパネル１０２の溝部１０２ｂ１のＢ面側の端に支持される。この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１５３】
次に、図８（ｅ）に図示する第１のパネル１０１および第２のパネル１０２の両面状態で、ワイヤー１０３とワイヤー１０５とが、図７（ｄ）に図示した状態と同様の位置で支持され、溝部１０１ｄ１と溝部１０２ｄ１との間に形成された空間で交差する。
【０１５４】
以上説明したように、第１のパネル１０１および第２のパネル１０２を横表示状態から両面状態へと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく第１のパネル１０１および第２のパネル１０２の状態を変更（変形）させることができる。なお、第１のパネル１０１および第２のパネル１０２の状態を両面状態から横表示状態へと変更（展開）する場合は、上述の動きとは逆の順序で各ワイヤーが動作する。
【０１５５】
図９は、本発明の第１実施形態に係る表示装置１００の第１のパネル１０１と第２のパネル１０２の相対的な配置を縦展開状態から両面状態へと変更する（折り畳む）場合を例示的に説明する図である。なお、図９の各図は、第１のパネル１０１と第２のパネル１０２とを左側面（第２のパネル１０２の右側面）側から見た図である。なお、説明のために前述した図７および図８に合わせて、各パネル同士を略９０度回転させた状態を示している。
【０１５６】
図９（ａ）は、第１のパネル１０１と第２のパネル１０２を左側面方向から見た、縦表示状態を例示的に説明する拡大図である。図９（ｂ）は、第１のパネル１０１と第２のパネル１０２を左側面方向から見た、縦表示状態から両面状態への移行状態を例示的に説明する拡大図であって、図９（ａ）の状態から第１のパネル１０１を相対的に略４５度回動させた状態を示している。図９（ｃ）は、第１のパネル１０１と第２のパネル１０２を左側面方向から見た、縦表示状態から両面状態への移行状態を例示的に説明する拡大図であって、図９（ａ）の状態から第１のパネル１０１を相対的に略９０度回動させた状態を示している。図９（ｄ）は、第１のパネル１０１と第２のパネル１０２を左側面方向から見た、縦表示状態から両面状態への移行状態を例示的に説明する拡大図であって、図９（ａ）の状態から第１のパネル１０１を相対的に略１３５度回動させた状態を示している。図９（ｅ）は、第１のパネル１０１と第２のパネル１０２を左側面方向から見た、両面状態を例示的に説明する拡大図であって、図９（ａ）の状態から第１のパネル１０１を相対的に略１８０度回動させた状態を示している。
【０１５７】
以下、図９（ａ）〜（ｅ）を参照して、図９（ａ）に示す矢印Ｅ方向に、第１のパネル１０１と第２のパネル１０２を縦表示状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。
【０１５８】
図９（ａ）に図示する第１のパネル１０１と第２のパネル１０２の縦表示状態で、ワイヤー１０３は、第２のパネル１０２の第４の辺に該当するＡ面側の角部１０２ｊ１とＢ面側の角部１０２ｉ１、第３の辺に該当するＢ面側の角部１０２ｈｉ１に接している。そして、第２パネル１０２の角部１０２ｈ１と第１のパネル１０１の第１の辺に該当するＡ面側の角部１０１ｇ１に支持されている。この状態でワイヤー１０３は、溝部１０１ｂ１と溝部１０２ｂ１との間に形成された空間を通過する。
【０１５９】
また、第１のパネル１０１と第２のパネル１０２の縦表示状態において、ワイヤー１０５は、第１のパネル１０１の第２の辺に該当するＡ面側の角部１０１ｊ１とＢ面側の角部１０１ｉ１、第１の辺に該当するＢ面側の角部１０１ｈ１とそれぞれ接している。そして、第１パネル１０１の角部１０１ｈ１と第２のパネル１０２の第３の辺に該当するＡ面側の角部１０２ｇ１に支持されている。この状態でワイヤー１０５は、溝部１０１ｂ１と溝部１０２ｂ１との間に形成された空間を通過する。
【０１６０】
そして、図９（ａ）に図示するように、ワイヤー１０３とワイヤー１０５とは、第１パネル１０１の溝部１０１ｂ１と第２パネル１０２の溝部１０２ｂ１によって形成される空間の中で交差している。この際、ワイヤー１０３とワイヤー１０５は、第１のパネル１０１と第２のパネル１０２のＡ面とＢ面の間の略中間の位置で交差する。
【０１６１】
次に、図９（ｂ）に図示する第１のパネル１０１と第２のパネル１０２の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、第１のパネル１０１と第２のパネル１０２の縦表示状態と略同一である。
【０１６２】
次に、図９（ｃ）に図示する第１のパネル１０１と第２のパネル１０２の移行状態で、ワイヤー１０３は、第１のパネル１０１の溝部１０１ｂ１のＡ面側の端と第２パネル１０２の溝部１０２ｃ１のＢ面側の端に支持される。また、ワイヤー１０５は、第２のパネル１０２の溝部１０２ｂ１のＡ面側の端と第１のパネル１０１の溝部１０１ｃ１のＢ面側の端に支持される。
【０１６３】
また、この際、ワイヤー１０３とワイヤー１０５の交差位置が、第２のパネル１０２の折り畳みに伴って、第１のパネル１０１および第２のパネル１０２のＢ面の端部近傍へと移行する。
【０１６４】
次に、図８（ｄ）に図示する第１のパネル１０１と第２のパネル１０２の移行状態で、ワイヤー１０３は、第１のパネル１０１の溝部１０１ｂ１のＢ面側の端と第２のパネル１０２の溝部１０２ｃ１のＢ面側の端に支持される。また、ワイヤー１０５は、第２のパネル１０２の溝部１０２ｂ１のＢ面側の端と第１のパネル１０１の溝部１０１ｃ１のＢ面側の端に支持される。
【０１６５】
この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１６６】
次に、図９（ｅ）に図示する第１のパネル１０１と第２のパネル１０２の両面状態で、ワイヤー１０３とワイヤー１０５とが、図９（ｄ）に図示した状態と同様の位置で支持され、溝部１０１ｄ１と溝部１０２ｄ１との間に形成された空間で交差する。
【０１６７】
以上説明したように、第１のパネル１０１と第２のパネル１０２を縦表示状態から両面状態へと変更する（折り畳む）動作に伴って、各ワイヤーを支持する第１のパネル１０１および第２のパネル１０２における位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく第１のパネル１０１と第２のパネル１０２の相対的な配置を変更させる（折り畳む）ことができる。なお、第１のパネル１０１と第２のパネル１０２を両面状態から縦表示状態へと変更（展開）させる場合は、上述の動きとは逆の順序で各ワイヤーが動作する。
【０１６８】
以上説明した構成によって、本実施形態の第１のパネル１０１と第２のパネル１０２は、横表示状態、両面状態、収納状態Ａ、収納状態Ｂ、縦表示状態という５つの状態間における変形操作を容易に行うことができる。したがって、本実施形態の表示装置１００は、第１のパネル１０１と第２のパネル１０２において、延長線上に位置する辺同士が異なるように、第１のパネル１０１と第２のパネル１０２の相対的な配置を変更することができる。
【０１６９】
次に、表示装置１００の状態を折り畳み状態から展開状態へとの変更する際の、各パネル同士の相対的な配置の変化について状態変更について図１０〜１１を参照して説明する。図１０は、本発明を実施する表示装置の第１実施形態である表示装置１００の状態を折り畳み状態から横展開状態へと変更する動作を例示的に説明する図である。また、図１１は、本発明を実施する表示装置の第１実施形態である表示装置１００の状態を折り畳み状態から縦展開状態へと変更する動作を例示的に説明する図である。なお、以降の説明では、第３のパネル２０１を基準として、第３のパネル２０１のＡ面側を表示装置１００の正面側とし、Ｂ面側を表示装置１００の背面側とする。
【０１７０】
まず、表示装置１００を折り畳み状態から横展開状態へと変更する場合の、各パネル同士の相対的な配置の変化について、図１０を参照して説明する。
【０１７１】
図１０（ａ）は表示装置１００の折り畳み状態を例示的に説明した図である。表示装置１００の折り畳み状態では、第４パネル２０２のＢ面が表示装置１００の正面側を向く。そして、表示装置１００の折り畳み状態では、表示装置１００の外部に表示部が露出していない。なお、表示装置１００の折り畳み状態において、第１のパネル１０１と第２のパネル１０２との相対的な配置は前述した両面状態となる。
【０１７２】
また、表示装置１００の折り畳み状態では、各パネルの表示方向において、各パネル同士が重畳している。したがって、表示装置１００の正面側からは、第４のパネル２０２に隠れて、第１のパネル１０１、第２のパネル１０２、第３のパネル２０１が見えない。また、表示装置１００の正面側からは、第２のヒンジ２０４に隠れて第１のヒンジ２０３が見えない。
【０１７３】
図１０（ａ）に図示する矢印方向に向けて、第１のパネル１０１、第２のパネル１０２、第４のパネル２０２のそれぞれを、第１のヒンジ２０３の回動軸を中心に略１８０度回動させた状態が図１０（ｂ）に図示する表示装置１００の状態である。上述した第１のヒンジ２０３の回動軸は、辺６と平行であって、当該辺６と略同一である（辺６の近傍に位置する）。
【０１７４】
図１０（ｂ）に図示する状態で、表示装置１００の正面側において、第１のパネル１０１の表示部１０１ａと第３のパネル２０１の表示部２０１ａが露出する。この際、第２のパネル１０２と第４のパネル２０２は、第１のパネル１０１の背面側に重畳した状態である。
【０１７５】
図１０（ｂ）に図示する矢印方向に向けて、第２のパネル１０２と第４のパネル２０２のそれぞれを、辺２および辺４を回動軸の略中心として略１８０度回動させた状態が図１０（ｃ）に図示する表示装置１００の状態である。
【０１７６】
図１０（ｃ）に図示する状態で、第４のパネル２０２のＢ面が表示装置１００の正面側を向き、第２のパネル１０２のＢ面が表示装置１００の背面側を向く。
【０１７７】
また、図１０（ｃ）に図示する状態で、第２のパネル１０２と第４のパネル２０２とは、表示方向において重畳している。したがって、図１０（ｃ）に図示する状態で、表示装置１００の正面側からは、第４のパネル２０２に隠れて第２のパネル１０２が見えない。
【０１７８】
図１０（ｃ）に図示する矢印方向に向けて、第４のパネル２０２を、第２のヒンジ２０４の回動軸を中心に略１８０度回動させた状態が、図１０（ｄ）に図示する表示装置１００の状態である。なお、上述した第２のヒンジ２０４の回動軸は、辺８と平行であって、当該辺８と略同一である（辺８の近傍に位置する）。
【０１７９】
図１０（ｄ）に図示する状態で、全ての表示部が表示装置１００の正面側を向き、当該全ての表示部（各パネルのＡ面）が同一方向に向けて露出することで、表示装置１００は横展開状態となる。
【０１８０】
図１０（ｄ）に図示するように、表示装置１００の横展開状態で、各パネルの辺１、辺３、辺５、辺７同士が互いの延長線上に位置し、辺２と辺４とが隣接する。以上が、表示装置１００を折り畳み状態から横展開状態へと変更する動作に伴う、各パネルの相対的な配置の変化である。
【０１８１】
次に、表示装置１００を折り畳み状態から縦展開状態へと変更する場合の、各パネル同士の相対的な配置の変化について、図１１を参照して説明する。
【０１８２】
図１１（ａ）は表示装置１００の折り畳み状態を説明する図である。表示装置１００の折り畳み状態については図１０（ａ）を参照して説明した通りなので、説明は省略する。
【０１８３】
図１１（ａ）に図示する矢印方向に向けて、第１のパネル１０１、第２のパネル１０２、第４のパネル２０２のそれぞれを、第１のヒンジ２０３の回動軸を中心に略９０度回動させた状態が図１１（ｂ）に図示する表示装置１００の状態である。
【０１８４】
図１１（ｂ）に図示する状態で、表示装置１００の正面側において、第３のパネル２０１の表示部２０１ａが露出する。この際、第１のパネル１０１の表示部１０１ａが表示装置の右側面に向けて露出した状態となり、当該第１のパネル１０１の背面側に、第２のパネル１０２と第４のパネル２０２が重畳する。
【０１８５】
なお、図１１（ｂ）に図示する状態で、表示装置１００の正面側からは、第１のパネル１０１、第２のパネル１０２、第４のパネル２０２に隠れて、第１のヒンジ２０３、２０４が見えない。
【０１８６】
図１１（ｂ）に図示する矢印方向に向けて、第２のパネル１０２と第４のパネル２０２のそれぞれを、辺１および辺３を回動軸の略中心として略１８０度回動させた状態が図１１（ｃ）に図示する表示装置１００の状態である。
【０１８７】
図１１（ｃ）に図示する状態で、第４のパネル２０２のＢ面が表示装置１００の右側面側を向き、第２のパネル１０２のＢ面が表示装置１００の左側面側を向く。
【０１８８】
図１１（ｃ）に図示する矢印方向に向けて、第１のパネル１０１を第１のヒンジ２０３の回動軸を中心に略９０度回動させた状態が図１１（ｄ）に図示する表示装置１００の状態である。なお、図１１（ｄ）の状態は、第２のパネル１０２、第４のパネル２０２のそれぞれは、辺２および辺４を回動軸の中心として略９０度回動させた表示装置１００の状態でもある。
【０１８９】
図１１（ｄ）に図示する状態で、第１のパネル１０１の表示部１０１ａが表示装置１００の正面側を向く。この際、第２のパネル１０２と第４のパネル２０２とは、各パネルの表示方向において互いに重畳した状態である。なお、表示装置１００を正面側から見た場合、第４のパネル２０２の正面側に第２のパネル１０２が位置している。
【０１９０】
図１１（ｄ）に図示する矢印方向に向けて、第４のパネル２０２を、第２のヒンジ２０４の回動軸を中心に略１８０度回動させた状態が、図１１（ｅ）に図示する表示装置１００の状態である。
【０１９１】
図１１（ｅ）に図示する状態で、全ての表示部が表示装置１００の正面側を向き、当該全ての表示部（各パネルのＡ面）が同一方向に向けて露出することで、表示装置１００は縦展開状態となる。
【０１９２】
図１１（ｅ）に図示するように、表示装置１００の縦展開状態で、辺２と辺４とが互いの延長線上に位置し、辺６と辺８とが互いの延長線上に位置する。また、表示装置１００の縦展開状態で、辺１と辺３が隣接し、辺５と辺７とが隣接する。以上が、表示装置１００を折り畳み状態から縦展開状態へと変更する動作に伴う、各パネルの相対的な配置の変化である。
【０１９３】
以上説明したように、本実施形態の表示装置１００は、複数のパネル同士の相対的な配置を変更することで、横展開状態や縦展開状態、折り畳み状態などの異なる複数の状態へと、表示装置１００の状態を変更することができる。すなわち、本実施形態の表示装置１００は、各パネル間において、延長線上に位置する辺同士が異なるように、各パネル同士の相対的な配置を変更することができる。
【０１９４】
例えば、表示装置１００の状態を折り畳み状態へと変更すれば、装置全体の大きさを小型化することができるため、携帯性を向上させた表示装置をユーザに提供することができる。
【０１９５】
また、表示装置１００の状態を展開状態へと変更すれば、単一の画像（元画像）を複数の画像に分割して各表示部へと表示させることで、表示領域を拡大した表示装置をユーザに対して提供することができる。すなわち、本実施形態の表示装置１００は、状態に応じて装置自体の小型化と表示領域の大型化が可能であるので、携帯性を向上しつつ、同一平面における表示領域を拡大することができる。
【０１９６】
ここで、表示画像の形状は矩形であることが一般的である。したがって、単一の画像を複数に分割して各表示部に表示させる場合、各表示部を合わせた外形の形状が矩形であれば、各表示部を合わせた表示領域にできるだけ大きく表示画像を表示させることができる。
【０１９７】
これに対して、各表示部を合わせた外形の形状がＬ字形状などの矩形以外の形状である場合は、各表示部を合わせた外形の形状が矩形である場合に比べて、各表示部を合わせた表示領域に表示可能な画像の大きさが小さくなってしまう。すなわち、それぞれが表示部を備えた複数のパネルの相対的な配置を変更できる表示装置では、単一の画像を複数の画像に分割して各表示部に表示させる場合に、表示領域全体の形状が矩形となるように表示装置の状態を変更することが望ましい。
【０１９８】
本実施形態の表示装置１００は、前述したように、それぞれが表示部を備えた複数のパネルのそれぞれを、異なる２種類の連結手段によって連結する構成である。具体的に、表示装置１００は、１つの回動軸を中心に各パネル同士の相対的な配置を変更可能な第１のヒンジ２０３、２０４と、それぞれが直交する複数の方向に向けて各パネル同士の相対的な配置を変更可能なワイヤー１０３〜１０６と、を備えている。
【０１９９】
そして、上述したワイヤー１０３〜１０６で第１のパネル１０１と第２のパネル１０２を連結し、第１のヒンジ２０３で第１のパネル１０１と第３のパネル２０１を連結し、第２のヒンジ２０４で第２のパネル１０２と第４のパネル２０２を連結している。すなわち、本実施形態の第１のパネル１０１と第２のパネル１０２とは、各パネル同士の表示部同一の方向を向く状態として、隣接する辺が異なるように各パネル同士の相対的な配置を変更できる。また、第１のパネル１０１と第３のパネル２０１、および第２のパネル１０２と第４のパネル２０２とは、各パネル同士の表示部同一の方向を向く状態として、各パネル同士の１つの辺が隣接するように各パネル同士の相対的な配置を変更できる。
【０２００】
この構成により、第１のパネル１０１と第２のパネル１０２の相対的な配置を、上述した横表示状態と縦表示状態へと変更できる。また、上述した構成によって、第１のパネル１０１と第３のパネル２０１の相対的な配置を、辺１の延長線上に辺５が位置する状態へと変更できる。また、上述した構成によって、第２のパネル１０２と第４のパネル２０２の相対的な配置を、辺３の延長線上に辺７が位置する状態へと変更することができる。
【０２０１】
さらに、上述した構成により、本実施形態の表示装置１００は、各表示部同士が同一の方向を向く状態で、各表示部を合わせた外形の形状が常に矩形となるように、各パネル同士の相対的な配置を変更できる。したがって、本実施形態の表示装置１００は、単一の画像を複数に分割して各表示部に表示させる場合に、各表示部を合わせた表示領域にできるだけ大きく表示画像を表示させることができる。
【０２０２】
ここで、表示装置１００の状態に応じた表示画像の表示方法について図１２を参照して説明する。なお、表示装置１００が、横展開状態である場合にホール素子１１３ａから出力される信号を信号Ａ、縦展開状態である場合に出力される信号を信号Ｂ、折り畳み状態である場合に出力される信号を信号Ｃとする。
【０２０３】
図１２は、本発明を実施する表示装置の第１実施形態である表示装置１００の表示制御処理を説明するフローチャートである。なお、図１２のフローチャートでは、単一の元画像を複数の画像に分割して表示装置１００の各表示部に表示させることができるように、表示装置１００に予め設定されているものとする。
【０２０４】
表示装置１００の電源がオンされたことや、表示装置１００の状態が変更されたことなどに応じて、表示制御処理が開始されると、ステップＳ１２０１で第１の表示制御回路１１０は、ホール素子１１３ａから出力された信号を受信する。なお、当該信号は、ホール素子１１３ａによって検知された磁石１１３ｂおよび磁石１２３ａの磁力（磁束の向きや磁束密度の大きさなど）に関する情報である。
【０２０５】
ステップＳ１２０２で第１の表示制御回路１１０は、ステップＳ１２０１で受信した信号の大きさが所定の信号（閾値信号）以上であるか否かを判定する。なお、上述した閾値信号としては、少なくとも、上述した信号Ａ〜Ｃよりも小さい値であればどのような値を設定してもよい。
【０２０６】
第１の表示制御回路１１０によって、受信した信号が閾値信号よりも小さいと判定された場合（ステップＳ１２０２でＮＯ）、ステップＳ１２０６で第１の表示制御回路１１０は、各表示部による表示を停止させる。
【０２０７】
また、第１の表示制御回路１１０によって、受信した信号が閾値信号以上であると判定された場合（ステップＳ１２０２でＹＥＳ）、ステップＳ１２０３で第１の表示制御回路１１０は、ホール素子１１３ａから受信した信号の種類を判定する。
【０２０８】
第１の表示制御回路１１０によって、受信した信号が信号Ａであると判定された場合、ステップＳ１２０４で、第１の表示制御回路１１０は、表示装置１００の横展開状態に応じた表示画像を表示装置１００の各表示部に表示（以下、横表示と称す）させる。当該表示画像の横表示とは、表示装置１００の横展開状態で各表示部同士を合わせた表示領域に、元画像を最も大きく表示できるように、各表示部に表示させる表示画像の大きさを設定および表示させる状態である。
【０２０９】
第１の表示制御回路１１０によって、受信した信号が信号Ｂであると判定された場合、ステップＳ１２０５で、第１の表示制御回路１１０は、表示装置１００の縦展開状態に応じた表示画像を表示装置１００の各表示部に表示（以下、縦表示と称す）させる。当該表示画像の縦表示とは、表示装置１００の縦展開状態で各表示部同士を合わせた表示領域に、元画像を最も大きく表示できるように、各表示部に表示させる表示画像の大きさを設定および表示させる状態である。
【０２１０】
第１の表示制御回路１１０によって、受信した信号が信号Ｃであると判定された場合、ステップＳ１２０６で、第１の表示制御回路１１０は、各表示部による表示を停止させる。なお、上述したステップＳ１２０６の処理では、各表示部における表示画像の表示を終了するような構成ではなく、各表示部のそれぞれに元画像全体を表示させるような構成であってもよい。
【０２１１】
第１の表示制御回路１１０は、上述したステップＳ１２０４〜Ｓ１２０６の処理の終了後、今回の表示制御処理を終了する。なお、上述した表示制御処理は、表示装置１００の状態が変更されるごとに新たな処理を開始するような構成であればよい。具体的には、ホール素子１１３ａから出力される信号の値が変化したことに応じて、第１の表示制御回路１１０が、当該新たに検出した信号の値に基づいて表示制御処理を実行する。以上が本実施形態の表示制御処理である。
【０２１２】
以上説明したように、本実施形態の表示装置１００は、単一の画像を複数に分割して表示させる場合に、表示装置１００の状態に応じて、表示領域全体に最も大きく表示画像を表示させることができる。
【０２１３】
したがって、ユーザは、単一の元画像を複数の画像に分割して表示装置１００の各表示部に表示させる場合に、当該単一の画像の大きさに応じて各パネルの相対的な配置を変更することで、表示画像の大きさに対応した表示画像を閲覧することができる。
【０２１４】
例えば、元画像の直交する２辺（例えば、長辺と短辺）の比率が、３：２や１６：９など、写真（または撮像素子）に多用される比率である場合は、表示装置１００の状態を縦展開状態に変更させる。また、元画像の直交する２辺の比率が、映画用に多用されるスコープサイズや、所謂パノラマ画像などの横長な比率（例えば、２：１以上の比率など）である場合は、表示装置１００の状態を横展開状態に変更させる。
【０２１５】
このように、本実施形態の表示装置１００は、ユーザによって、元画像のそれぞれが直交する２辺の比率（アスペクト比）に合わせて各パネルの相対的な配置を変更することで、表示画像をできる限り大きく表示させることができる。
【０２１６】
ここで、本実施形態では、第１のパネル１０１と第２のパネル１０２とを連結する連結手段として、ワイヤー１０３〜１０６を採用するような構成であったが、第１のヒンジ２０３や第２のヒンジ２０４のような連結手段を採用するような構成であってもよい。この場合、第１のパネル１０１と第３のパネル２０１同士、および第２のパネル１０２と第４のパネル２０２同士を、ワイヤー１０３〜１０６などの連結手段で連結する。この構成について、図１２を参照して説明する。
【０２１７】
図１３は、本発明の第１実施形態に係る表示装置の変形例である表示装置３００を説明する図である。図１３（ａ）は、表示装置３００が横展開状態である場合を例示的に示し、図１３（ｂ）は、表示装置３００が縦展開状態である場合を例示的示した図である。
【０２１８】
図１３（ａ）、（ｂ）に図示するように、第１のパネル３０１と第２のパネル３０２は、前述した第１のヒンジ２０３、第２のヒンジ２０４と略同一の構成であるヒンジ４０１によって連結されている。
【０２１９】
また、図１３（ａ）、（ｂ）に図示するように、第１のパネル３０１と第３のパネル３０３とは、前述したワイヤー１０３〜１０６と略同一の構成であるワイヤー４０２、４０３、４０４、４０５によって連結されている。同様に、第２のパネル３０２と第４のパネル３０４とは、前述したワイヤー１０３〜１０６と略同一の構成であるワイヤー４０６、４０７、４０８、４０９によって連結されている。
【０２２０】
図１３に図示するような表示装置３００の構成であっても、各表示部同士が同一の方向を向く状態で、各表示部を合わせた外形の形状が常に矩形となるように、各パネル同士の相対的な配置を変更することができる。
【０２２１】
すなわち、それぞれが表示部を備えた複数の筐体の相対的な配置を変更できる表示装置では、各筐体同士を連結する連結手段として、異なる種類の連結手段を備え、当該異なる種類の連結手段のそれぞれ個数を異ならせる。
【０２２２】
そして、異なる種類の連結手段のうちの一方は、当該連結手段によって連結されたパネル間において、延長線上に位置する辺同士が異なるように、各パネル同士の相対的な配置を変更することができる。また、異なる種類の連結手段のうちの他方は、当該連結手段によって連結されたパネル間において、延長線上に位置する辺同士が異ならないように、各パネル同士の相対的な配置を変更することができる。
【０２２３】
少なくとも、上述した構成を採用する表示装置であれば、各表示部同士が同一の方向を向く状態で、各表示部を合わせた外形の形状が常に矩形となるように、各パネル同士の相対的な配置を変更できる。したがって、単一の画像を複数に分割して各表示部に表示させる場合に、各表示部を合わせた表示領域にできるだけ大きく表示画像を表示させることができる。
【０２２４】
なお、本実施形態では、第１のヒンジ２０３などの１つの回動軸中心に回動可能な連結手段によって、各パネル同士の短辺近傍を連結するような構成であったが、これに限定されるものではない。例えば、前述した図１において、第１のヒンジ２０３によって第１のパネル１０１の長辺と第３のパネル２０１の長辺とを連結するような構成であってもよい。
【０２２５】
この場合、第２のヒンジ２０４によって、第２のパネル１０２の長辺近傍と第４のパネル２０２の長辺近傍が連結される構成であればよい。また、第１のパネル１０１と第２のパネル１０２とは、横表示状態で各パネルの長辺同士が隣接し、縦表示状態で各パネルの短辺同士が隣接するように、ワイヤー１０３〜１０６によって、各パネル同士が連結される構成であればよい。
【０２２６】
（第２実施形態）
本実施形態では、前述した第１実施形態の表示装置１００をデジタルカメラ（以下、単にカメラと称す）１の表示手段に適用させた場合について説明する。なお、表示装置１００の構成については、前述した第１実施形態と同様であるので説明は省略する。
【０２２７】
図１４は、本発明を実施した表示装置の第２実施形態であるカメラ１の外観図である。図１４（ａ）は、表示装置１００が横展開状態である場合のカメラ１の上面図及び背面図である。図１４（ｂ）は、表示装置１００が縦展開状態である場合のカメラ１の上面図および背面図である。図１４（ｃ）は、表示装置１００が折り畳み状態である場合のカメラ１の上面図及び背面図である。
【０２２８】
なお、本実施形態では、前述した第１実施形態の表示装置１００をカメラ１の表示手段として適用したものであるため、表示装置１００の第３のパネル２０１のＡ面側をカメラ１の背面側とし、第３のパネル２０１のＢ面側をカメラ１の正面側とする。すなわち、前述した第１実施形態の表示装置１００と本実施形態のカメラ１とは、正面と背面とがそれぞれ入れ替わっている。
【０２２９】
図１４（ａ）〜（ｃ）に図示するように、カメラ１は、前述した表示装置１００とカメラ本体１０などを有する撮像装置である。以下、カメラ本体１０を構成する各部について説明する。
【０２３０】
カメラ本体１０は、背面側に表示装置１００が固定された筐体（第５の筐体）である。電源スイッチ２０は、カメラ１の各部への電源の供給および停止を指示するためのスイッチであって、ユーザは、この電源スイッチ２０を操作することによって、カメラ１の電源のオン／オフを設定することができる。
【０２３１】
レリーズスイッチ２１は、被写体の撮像準備および撮像を指示するための部材であって、半押し（ＳＷ１）で被写体の撮像準備を指示することができ、全押し（ＳＷ２）で被写体の撮像を指示することができる。また、操作ボタン２２は、カメラ１で設定可能なモードや、各種パラメータの変更や調整、画像再生時の画像変更などを指示するための操作部である。
【０２３２】
図１４（ａ）に図示するように、表示装置１００は、カメラ本体１０の背面側に設けられており、第３のパネル２０１のＢ面が、カメラ本体１０の背面側に固定されている。なお、第３のパネル２０１は、カメラ本体１０の背面上において、表示装置１００の状態の変更の邪魔にならないような位置に固定される。
【０２３３】
次に、図１５を参照して、カメラ本体１０の内部構成について説明する。図１５は、本発明の第２実施形態に係るカメラ本体１０の内部構成について説明するブロック図である。
【０２３４】
カメラマイコン（ＣＰＵ）１１は、カメラ１の動作を統括的に制御する制御手段である。以下に説明するカメラ１を構成する各部は、カメラマイコン１１からの指示に応じて、各動作が制御される。
【０２３５】
レンズ制御回路１２は、レンズユニット１３の駆動を制御する駆動制御手段であって、不図示のズームレンズ、フォーカスレンズ、絞りなどの駆動を制御する。なお、本実施形態のレンズユニット１３はカメラ本体１０と一体的に設けられているような構成であるが、レンズユニットとカメラ本体１０とがそれぞれ別々に設けられているような構成であってもよい。すなわち、本実施形態のカメラ１としては、所謂レンズ交換式のカメラのであってもよい。
【０２３６】
撮像制御回路１４は、ＣＭＯＳ等の電荷蓄積型の撮像素子である撮像素子１５の動作および不図示のシャッターの駆動を制御する制御手段であって、撮像素子１５の蓄積時間制御や蓄積した電荷の読み出しに関する制御を行う。なお、撮像素子１５は、レンズユニット１３を介して入射した光束（被写体の光学像）を光電変換することによってアナログ画像データを出力する。
【０２３７】
撮像素子１５から出力されたアナログ電気信号（アナログ画像データ）は、不図示のＡＦＥ（Ａｎａｌｏｇ  Ｆｒｏｎｔ  Ｅｎｄ）によって、ゲイン量の調節やサンプリングなどが行われる。そして、当該ＡＦＥから出力されたアナログ画像データは、不図示のＡ／Ｄ変換部によってデジタル電気信号（デジタル画像データ）へと変換される。
【０２３８】
画像処理回路１６は、前述したデジタル画像データに対して、所定の画像補間、リサイズ処理や色変換処理、飽和画素や黒潰れ画素などの画素データ数の演算処理などが施す画像処理手段である。
【０２３９】
メモリ１７は、電気的に消去や記憶が可能なメモリであり、例えば、フラッシュメモリ等に代表されるＥＥＰＲＯＭ等である。メモリ１７には、カメラ１に関わる各動作において使用される種々のデータが格納されている。例えば、カメラ１において実行されるプログラムや動作用の定数、種々の露出条件、カメラ１内の処理で使用する算出式、露出条件を設定するプログラム線図などがメモリ１７に格納されている。なお、カメラ１において実行されるプログラムとは、図１２に図示した前述した第１実施形態の表示制御処理を示すフローと同様の動作を指示するためのプログラムなどである。
【０２４０】
また、メモリ１７には、ＤＲＡＭなどの記録素子からなる記録領域を有しており、所定枚数の静止画や所定時間の動画に関わる画像データや音声データを記録することができる。また、メモリ１７は、画像表示用メモリ（ビデオメモリ）、カメラマイコン１１の作業領域、不図示の記録媒体の記録用バッファとしても使用される。
【０２４１】
前述した画像処理回路１６から出力されたデジタル画像データは、メモリ１７に記録され、種々のタイミングでカメラマイコン１１によって読み出される。そして、当該デジタル画像データは、不図示のＤ／Ａ変換部において表示用のアナログ画像データ（表示画像）へと変換され、表示装置１００の各表示部に表示される。
【０２４２】
カメラ通信部１８は、表示装置１００の第１の通信部１１２、第２の通信部１２２と通信可能な通信手段である。本実施形態では、カメラ通信部１８と第１の通信部１１２、第２の通信部１２２を介して、カメラマイコン１１と第１の表示制御回路１１０および第２の表示制御回路１２０とが互いに通信可能である。
【０２４３】
状態検出回路１９は、カメラ１に配設されるスイッチやボタンなどの各種の操作部の状態や表示装置１００の状態を検出する状態検出手段である。例えば、状態検出回路１９は、ユーザによる電源スイッチ２０やレリーズスイッチ２１、操作ボタン２２の操作など、カメラ１の動作に関わるカメラ１各部の状態変更を検出することができる。
【０２４４】
また、状態検出回路１９は、表示装置１００から受信した、表示装置１００の状態に関わる情報に基づいて、表示装置１００の状態を検出することができる。具体的に、状態検出回路１９は、表示装置１００から受信した、表示状態検出部１１３を構成するホール素子１１３ａから出力された信号に関する情報に応じて、表示装置１００の状態を検出することができる。
【０２４５】
なお、第１の表示制御回路１１０や第２の表示制御回路１２０などが、表示状態検出部１１３の出力信号に基づいて、表示装置１００の状態を検出するような構成であってもよい。
【０２４６】
外部入出力回路２３は、不図示の外部ケーブルなどを介して、カメラ１以外の外部機器との通信を制御する通信制御回路である。外部機器から出力された情報はメモリ１７に記録される。
【０２４７】
電源回路２４は、電源スイッチ２０がオン・オフに応じて、カメラ本体１０の各部への電力の供給を制御する電源制御回路である。本実施形態のカメラ１は、カメラ本体１０の電源スイッチ２０がオンされたことに応じて、表示装置１００においても、第１の電源部１１１と第２の電源部１２１から表示装置１００の各部に電力が供給される。
【０２４８】
なお、本実施形態では、カメラ本体１０と表示装置１００とでそれぞれ独立した電源を備えるような構成であるが、これに限定されるものではない。例えば、カメラ本体１０と表示装置１００とが電気的に接続されていれば、カメラ本体１０と表示装置１００のどちらか一方のみに電源を設け、カメラ１を構成する各部へと電源を供給するような構成であってもよい。以上が本実施形態のカメラ本体１０の内部構成である。
【０２４９】
なお、本実施形態では、表示装置１００の動作に関する統括的な制御は、カメラ１に設けられたカメラマイコン１１によって指示される。具体的には、カメラマイコン１１からの指示に応じて、第１の表示制御回路１１０と第２の表示制御回路１２０による各表示部の制御が実行される。
【０２５０】
例えば、本実施形態のカメラ１では、カメラマイコン１１は、第１の通信部１１２と第２の通信部１２２および通信部とカメラ通信部１８を介して、ホール素子１１３ａによって検出された表示装置１００の状態に関する情報を受信する。そして、カメラマイコン１１は、表示装置１００の状態に関する情報に基づいて、表示装置１００の状態を検出する。
【０２５１】
なお、カメラ１において、被写体を撮像して取得する画像データのアスペクト比に応じて、表示装置１００に表示させる表示画像を設定するような構成であってもよい。例えば、カメラマイコン１１は、カメラ１における被写体撮像時の設定として、取得する画像データのアスペクト比が２：１以上であれば、表示画像を横表示で表示装置１００に表示させる。また、カメラマイコン１１は、カメラ１における被写体撮像時の設定として、取得する画像データのアスペクト比が２：１よりも縦長な比率であれば、表示画像を縦表示で表示装置１００に表示させる。
【０２５２】
この構成であれば、例えば、表示装置１００に所謂ライブビュー表示をさせながら被写体を撮像する場合に、撮像によって取得する画像を表示装置１００で大きく表示させながら被写体を撮像することができる。
【０２５３】
また、図１６に図示するように、カメラ本体１０と表示装置１００とを、それぞれが直交する２軸を中心に回動が可能なヒンジ（第４の連結手段）４０１によって連結するような構成であってもよい。
【０２５４】
図１６は、本発明の第２実施形態に係る表示装置の変形例であるデジタルカメラ（以下、単にカメラと称す）４００を説明する図である。図１６（ａ）〜（ｃ）は、それぞれ、表示装置１００の横展開状態、縦展開状態、折り畳み状態に対応したカメラ４００の背面図および上面図を例示的に説明した図である。なお、表示装置１００およびカメラ本体１０の構成は前述したカメラ１と同様の構成にはカメラ１と同様の符号を付し、各部の説明は省略する。
【０２５５】
ヒンジ４０１は、異なる２つの回動軸と、当該２つの回動軸を保持する軸受け部を有する２軸回動ヒンジである。したがって、ヒンジ４０１は、図１６（ａ）、（ｂ）に図示する矢印Ｒ１および矢印Ｒ２の方向に向けて回動可能である。なお、ヒンジ４０１は、矢印Ｒ１および矢印Ｒ２に向けた回動のうちの一方が、他方の回動を妨げないような構成されている。
【０２５６】
したがって、図１６（ａ）、（ｂ）に図示するように、本実施形態のカメラ１は、カメラ本体１０に対して表示装置１００を矢印Ｒ１および矢印Ｒ２方向に向けて回動させることができる。なお、矢印Ｒ２方向への表示装置１００の回動は、カメラ１の撮影方向において、カメラ本体１０の背面と重畳しない位置に表示装置１００が位置している必要がある。また、矢印Ｒ１および矢印Ｒ２方向への表示装置１００の回動可能な角度としては、図１６（ａ）、（ｂ）に図示する表示装置１００の位置から、１８０度以上回動できるような角度とする。
【０２５７】
なお、カメラ本体１０の背面側には、表示装置１００を収納するための切り欠き部１０ａが設けられており、折り畳み状態の表示装置１００を当該切り欠き部１０に合わせて収納させることができる。
【０２５８】
以上説明した構成であれば、表示装置１００の状態を横展開状態および縦展開状態に変更した状態であっても、カメラ１の撮像方向に各表示部を向けることができる。したがって、例えば、ユーザがカメラ１の撮像方向に位置した状態で撮像を行う場合（例えば、セルフタイマー撮影や自分撮りなどを行う場合）であっても、ユーザが表示装置１００の状態に応じた大きな表示画像を確認しながら撮像を行うことができる。
【０２５９】
以上説明したように、カメラ１に、複数のパネル同士の相対的な配置を変更できる表示装置１００を適用させる場合、表示装置１００とカメラ１とを連結する連結手段として、直交する２軸を中心に回動可能なヒンジを採用するような構成であってもよい。
【０２６０】
以上、本発明の好ましい実施形態について説明したが、本発明はこれらに限定されず、その要旨の範囲内で種々の変形及び変更が可能である。例えば、上述した実施形態では、表示装置の展開状態において、単一の画像を複数に分割して各表示部のそれぞれに表示させるような構成について説明したが、これに限定されるものではない。例えば、表示装置１００の展開状態であっても、各表示部のそれぞれに元画像を表示させるような構成であってもよい。
【０２６１】
また、前述した実施形態では、所定のパネル同士をワイヤー１０３〜１０６によって連結するような構成について説明したが、これに限定されるものではない。例えば、所定の２つのパネル同士で、延長線上に位置する辺同士が異なるように、各パネル同士の相対的な配置を変更であれば、各パネル同士を連結する連結手段としてどのようなものを用いてもよい。
【０２６２】
また、前述した実施形態では、それぞれが表示部を備えた４つのパネルを備えた表示装置１００について説明したが、これに限定されるものではない。例えば、表示装置が、４つ以外の個数のパネルを備えた構成であってもよい。例えば、それぞれが表示部を備えたパネルを３つ備えた表示装置において、所定の２つのパネルをワイヤー１０３〜１０６のような連結手段で連結する。そして、ワイヤー１０３〜１０６によって連結されていない１つのパネルを含む所定の２つのパネル同士を第１のヒンジ２０３、２０４のような連結手段で連結するような構成であってもよい。
【０２６３】
なお、上述した実施形態では、表示装置の横展開状態で各パネルの辺１、辺３、辺５、辺７が互いの延長線上に位置し、縦展開状態で各パネルの辺２、辺４、辺６、辺８が互いの延長線上に位置する構成について説明したが、これに限定されるものではない。例えば、各パネル同士の外形の寸法が異なる場合は、少なくとも、表示装置に含まれる複数のパネルのうち、所定のパネル同士が異なる辺同士で隣接するように、各パネル同士の相対的な配置を変更できるような表示装置であればよい。
【符号の説明】
【０２６４】
１００  表示装置
１０１  第１のパネル
１０１ａ  第１の表示部
１０２  第２のパネル
１０２ａ  第２の表示部
１０３  ワイヤー
１０４  ワイヤー
１０５  ワイヤー
１０６  ワイヤー
２０１  第３のパネル
２０１ａ  第３の表示部
２０３  第１のヒンジ
２０４  第２のヒンジ
【図１】
0006486177.tif 000002
【図２】
0006486177.tif 000003
【図３】
0006486177.tif 000004
【図４】
0006486177.tif 000005
【図５】
0006486177.tif 000006
【図６】
0006486177.tif 000007
【図７】
0006486177.tif 000008
【図８】
0006486177.tif 000009
【図９】
0006486177.tif 000010
【図１０】
0006486177.tif 000011
【図１１】
0006486177.tif 000012
【図１２】
0006486177.tif 000013
【図１３】
0006486177.tif 000014
【図１４】
0006486177.tif 000015
【図１５】
0006486177.tif 000016
【図１６】
0006486177.tif 000017